(57)【要約】【課題】入出力インタフェースのサイズが制限された状況下においても、より好適な態様で情報を提示することが可能な、情報処理装置、情報処理方法、及びプログラムを提案する。【解決手段】互いに異なる第１の操作と第２の操作とをそれぞれ識別して受け付ける操作部と、前記操作部とは異なる領域に設けられ、複数の階層に区分された表示項目のうち、選択された前記階層に含まれるいずれかの前記表示項目を表示する表示部と、前記第１の操作を受けて、前記表示部に表示された第１の表示項目を、当該第１の表示項目とは異なり、かつ選択された前記階層に含まれる第２の表示項目に切り替え、前記第２の操作を受けて、選択された前記階層を、当該階層とは異なる他の階層に切り替える制御部と、を備え、前記制御部は、選択された前記階層に応じて、前記表示部への当該階層を示す階層情報の表示を制御する、情報処理装置。【選択図】図１
2016021187.tif 000002
【特許請求の範囲】
【請求項１】
互いに異なる第１の操作と第２の操作とをそれぞれ識別して受け付ける操作部と、
前記操作部とは異なる領域に設けられ、複数の階層に区分された表示項目のうち、選択された前記階層に含まれるいずれかの前記表示項目を表示する表示部と、
前記第１の操作を受けて、前記表示部に表示された第１の表示項目を、当該第１の表示項目とは異なり、かつ選択された前記階層に含まれる第２の表示項目に切り替え、前記第２の操作を受けて、選択された前記階層を、当該階層とは異なる他の階層に切り替える制御部と、
を備え、
前記制御部は、選択された前記階層に応じて、前記表示部への当該階層を示す階層情報の表示を制御する、情報処理装置。
【請求項２】
外部デバイスとの間で非接触通信に基づき、情報の送受信を行う通信部を備えた、請求項１に記載の情報処理装置。
【請求項３】
前記通信部は、前記表示部と離間して設けられている、請求項２に記載の情報処理装置。
【請求項４】
前記操作部は、前記表示部とは異なる領域に設けられた操作面に対して接触または近接する操作体の、弧状の軸に沿った方向に向けた当該操作面上における位置の変化を検出し、検出された当該位置の変化を前記第１の操作として受け付ける、請求項１に記載の情報処理装置。
【請求項５】
前記操作部は、前記操作体の接触または近接を検知するセンサを含む、請求項４に記載の情報処理装置。
【請求項６】
前記操作部は、前記弧状の軸に沿った方向に沿うように配列された複数の前記センサを含む、請求項５に記載の情報処理装置。
【請求項７】
検出された前記位置の変化に応じて情報を報知する報知部を備える、請求項４に記載の情報処理装置。
【請求項８】
前記報知部は、発光部を含み、当該発光部の発光状態により情報を報知する、請求項７に記載の情報処理装置。
【請求項９】
前記報知部は、前記弧状の軸に沿った方向に向けた前記第１の操作に追随するように、前記発光部を点灯または点滅させる、請求項８に記載の情報処理装置。
【請求項１０】
前記制御部は、前記弧状の軸に沿った方向に向けた前記第１の操作に連動するように、前記第１の表示項目と前記第２の表示項目とをスクロールさせることで、当該第１の表示項目を当該第２の表示項目に切り替える、請求項４に記載の情報処理装置。
【請求項１１】
前記制御部は、前記弧状の軸に沿った方向に向けた前記第１の操作の操作方向に、前記第１の表示項目と前記第２の表示項目とをスクロールさせることで、当該第１の表示項目を当該第２の表示項目に切り替える、請求項１０に記載の情報処理装置。
【請求項１２】
前記弧状の軸に沿った方向は、前記表示部の天地方向が正しくなるようにユーザと前記操作面とが正対した場合に、弧の中心が、当該操作面を左右に分割する軸に対して、左右のいずれか一方の方向に位置し、かつ、前記弧が当該中心に対して前記左右の他方側に位置するように設定される、請求項４に記載の情報処理装置。
【請求項１３】
前記操作部は、前記軸に対して左右のいずれか一方に弧の中心が位置するように設定された前記弧状の第１の方向と、他方に弧の中心が位置するように設定された前記弧状の第２の方向とのそれぞれに沿った、前記操作面上における前記操作体の位置の変化を検出する、請求項１２に記載の情報処理装置。
【請求項１４】
前記制御部は、前記第１の方向に沿った前記位置の変化に対応する前記第１の操作と、前記第２の方向に沿った前記位置の変化に対応する前記第１の操作とに対して、互いに異なる機能を割り当てる、請求項１３に記載の情報処理装置。
【請求項１５】
前記操作部は、ユーザが前記表示部に対して正対したときに、前記操作面が当該ユーザに対して正対するように設けられている請求項４に記載の情報処理装置。
【請求項１６】
前記制御部は、前記階層情報として、選択された前記階層の深さを提示する、請求項１に記載の情報処理装置。
【請求項１７】
前記制御部は、前記他の階層の候補を、選択された前記階層から、上位方向及び下位方向のうちいずれか一方向にのみ階層間を移動した場合に到達し得る階層のみに制限する、請求項１に記載の情報処理装置。
【請求項１８】
操作部が、互いに異なる第１の操作と第２の操作とをそれぞれ識別して受け付けることと、
前記操作部とは異なる領域に設けられた表示部に、複数の階層に区分された表示項目のうち、選択された前記階層に含まれるいずれかの前記表示項目を表示することと、
プロセッサが、前記第１の操作を受けて、前記表示部に表示された第１の表示項目を、当該第１の表示項目とは異なり、かつ選択された前記階層に含まれる第２の表示項目に切り替えることと、
前記第２の操作を受けて、選択された前記階層を、当該階層とは異なる他の階層に切り替えることと、
選択された前記階層に応じて、前記表示部への当該階層を示す階層情報の表示を制御することと、
を含む、情報処理方法。
【請求項１９】
コンピュータに、
操作部が、互いに異なる第１の操作と第２の操作とをそれぞれ識別して受け付けることと、
前記操作部とは異なる領域に設けられた表示部に、複数の階層に区分された表示項目のうち、選択された前記階層に含まれるいずれかの前記表示項目を表示することと、
前記第１の操作を受けて、前記表示部に表示された第１の表示項目を、当該第１の表示項目とは異なり、かつ選択された前記階層に含まれる第２の表示項目に切り替えることと、
前記第２の操作を受けて、選択された前記階層を、当該階層とは異なる他の階層に切り替えることと、
選択された前記階層に応じて、前記表示部への当該階層を示す階層情報の表示を制御することと、
を実行させるプログラム。
【発明の詳細な説明】
【技術分野】
【０００１】
本開示は、情報処理装置、情報処理方法、及びプログラムに関する。
【背景技術】
【０００２】
近年、ＩＣ（integrated  circuit）を備え、非接触で通信を行える非接触アンテナモジュールを備えることで、他の装置と非接触で通信を行うことが可能に構成された、所謂非接触型ＩＣカードが普及している。このような非接触型ＩＣカードを用いた非接触通信は、例えば、交通乗車券、電子マネー、ＩＤカード、入退室管理などに用いられている。
【０００３】
非接触型ＩＣカード内に記憶された情報は、例えば、リーダライタを介してＰＣ（Personal  Computer）やスマートフォン等の外部装置に読み込ませることで、当該外部装置を介してユーザに提示される。
【先行技術文献】
【特許文献】
【０００４】
【特許文献１】特開２０１２−１２８６５２号公報
【発明の概要】
【発明が解決しようとする課題】
【０００５】
一方で、非接触型ＩＣカード内に記憶された情報を、外部装置を介することなく、当該非接触型ＩＣカード単体で、ユーザに提示可能とする仕組みが求められている。このような課題に対して、例えば、非接触型ＩＣカードに、液晶ディスプレイ（Liquid  Crystal  Display）やタッチパネル等の入出力インタフェースを設けることで、当該非接触型ＩＣカード内に記憶された情報を、当該入出力インタフェースを介してユーザに提示する手法が挙げられる。
【０００６】
しかしながら、非接触型ＩＣカード程度の大きさの比較的小さな端末は、当該端末の大きさに比例して、入出力インタフェースを設けることが可能な領域が制限され、当該入出力インタフェースのサイズも制限される。
【０００７】
そこで、本開示では、入出力インタフェースのサイズが制限された状況下においても、より好適な態様で情報を提示することが可能な、情報処理装置、情報処理方法、及びプログラムを提案する。
【課題を解決するための手段】
【０００８】
本開示によれば、互いに異なる第１の操作と第２の操作とをそれぞれ識別して受け付ける操作部と、前記操作部とは異なる領域に設けられ、複数の階層に区分された表示項目のうち、選択された前記階層に含まれるいずれかの前記表示項目を表示する表示部と、
前記第１の操作を受けて、前記表示部に表示された第１の表示項目を、当該第１の表示項目とは異なり、かつ選択された前記階層に含まれる第２の表示項目に切り替え、前記第２の操作を受けて、選択された前記階層を、当該階層とは異なる他の階層に切り替える制御部と、を備え、前記制御部は、選択された前記階層に応じて、前記表示部への当該階層を示す階層情報の表示を制御する、情報処理装置が提供される。
【０００９】
また、本開示によれば、操作部が、互いに異なる第１の操作と第２の操作とをそれぞれ識別して受け付けることと、前記操作部とは異なる領域に設けられた表示部に、複数の階層に区分された表示項目のうち、選択された前記階層に含まれるいずれかの前記表示項目を表示することと、プロセッサが、前記第１の操作を受けて、前記表示部に表示された第１の表示項目を、当該第１の表示項目とは異なり、かつ選択された前記階層に含まれる第２の表示項目に切り替えることと、前記第２の操作を受けて、選択された前記階層を、当該階層とは異なる他の階層に切り替えることと、選択された前記階層に応じて、前記表示部への当該階層を示す階層情報の表示を制御することと、を含む、情報処理方法が提供される。
【００１０】
また、本開示によれば、コンピュータに、操作部が、互いに異なる第１の操作と第２の操作とをそれぞれ識別して受け付けることと、前記操作部とは異なる領域に設けられた表示部に、複数の階層に区分された表示項目のうち、選択された前記階層に含まれるいずれかの前記表示項目を表示することと、前記第１の操作を受けて、前記表示部に表示された第１の表示項目を、当該第１の表示項目とは異なり、かつ選択された前記階層に含まれる第２の表示項目に切り替えることと、前記第２の操作を受けて、選択された前記階層を、当該階層とは異なる他の階層に切り替えることと、選択された前記階層に応じて、前記表示部への当該階層を示す階層情報の表示を制御することと、を実行させるプログラムが提供される。
【発明の効果】
【００１１】
以上説明したように本開示によれば、入出力インタフェースのサイズが制限された状況下においても、より好適な態様で情報を提示することが可能な、情報処理装置、情報処理方法、及びプログラムが提供される。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本実施形態に係る情報処理システムの概略的な構成の一例を示した図である。
【図２】同実施形態に係るカード型端末の概略的な構成の一例について説明するための説明図である。
【図３】同実施形態に係るカード型端末の概略的な構成の一例について説明するための説明図である。
【図４】同実施形態に係るカード型端末による画面表示に係る制御の一例について説明するための説明図である。
【図５】同実施形態に係るカード型端末における画面間の切替えに係る画面構成の一例について説明するための説明図である。
【図６】同実施形態に係るカード型端末の機能構成の一例を示したブロック図である。
【図７】同実施形態に係るカード型端末の一連の動作の一例について示したフローチャートである。
【図８】実施例１−１に係る情報処理システムの動作の概要について説明するための説明図である。
【図９】実施例１−２に係る情報処理システムの動作の概要について説明するための説明図である。
【図１０】階層情報の提示方法の一例について説明するための説明図である。
【図１１】階層情報の提示方法の一例について説明するための説明図である。
【図１２】実施例３に係る情報の提示方法の一例について説明するための説明図である。
【図１３】実施例３に係る情報の提示方法の一例について説明するための説明図である。
【図１４】実施例３に係る情報の提示方法の一例について説明するための説明図である。
【図１５】変形例に係る操作部の構成の一例について説明するための説明図である。
【図１６】変形例に係る操作部の構成の他の一例について説明するための説明図である。
【図１７】同実施形態に係るカード型端末のハードウェア構成の一例を示した図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．概要
２．概略構成
３．表示制御
４．機能構成
５．処理
６．実施例
６．１．実施例１：カード型端末の使用形態の一例
６．１．１．実施例１−１：外部装置からの情報の取得及び当該情報の利用
６．１．２．実施例１−２：外部装置への情報の出力
６．２．実施例２：階層情報の提示方法の一例
６．３．実施例３：情報の提示方法の一例
７．変形例
８．ハードウェア構成
９．まとめ
【００１６】
＜１．概要＞
まず、図１を参照して、本開示の実施形態に係る情報処理システムの概要について説明する。図１は、本実施形態に係る情報処理システムの概略的な構成の一例を示した図である。
【００１７】
図１に示すように、本実施形態に係る情報処理システムは、カード型端末１０と、リーダライタ８０と、情報処理端末９０とを含む。
【００１８】
カード型端末１０は、ＮＦＣやＲＦＩＤ等の非接触近距離無線通信技術を用いた通信デバイスを備え、当該非接触近距離無線通信の通信経路を介した通信により、外部装置であるリーダライタ８０と通信可能に構成されている。ＮＦＣやＲＦＩＤ等の非接触近距離無線通信技術を用いた通信デバイスの一例としては、ＮＦＣタグやＮＦＣリーダライタが挙げられる。
【００１９】
ＮＦＣタグは、接続されたアンテナを介して、外部装置（例えば、リーダライタ８０）からの高周波信号を受信し、受信した高周波信号を復号することでリーダライタ８０から情報を取得する。また、ＮＦＣタグは、高周波信号を復号することで取得した情報に基づき負荷変調を制御することで、外部装置への応答に係る高周波信号を生成し、生成した高周波信号を、アンテナを介して当該外部装置に送信する。このような構成により、ＮＦＣタグは、外部装置との間の通信を確立し、所定の記憶装置に記憶され各種情報を当該外部装置に出力する。
【００２０】
ＮＦＣリーダライタは、例えば、高周波信号生成部、復調部、及びアンテナを備え、ＮＦＣなどにおけるリーダ／ライタ（または質問器）としての役目を果たす。
【００２１】
高周波信号生成部は、所定の制御部から伝達される、高周波信号の送信開始を示す高周波信号生成命令を受け、高周波信号生成命令に応じた高周波信号を生成する。また、高周波信号生成部は、例えば制御部から伝達される、高周波信号の送信停止を示す高周波信号送信停止命令を受け、高周波信号の生成を停止する。
【００２２】
復調部は、例えば、高周波信号生成部とアンテナとの間における電圧の振幅変化を包絡線検波し、検波した信号を２値化することによって、外部装置から送信される信号（より具体的には、例えば、負荷変調により送信される信号）を復調する。そして、復調部は、復調した応答信号（例えば、高周波信号に応じた処理に基づく応答を示す応答信号）を、外部装置（例えば、リーダライタ８０）へ伝達する。なお、復調部における応答信号の復調手段は、上記に限られず、例えば、高周波信号生成部とアンテナとの間における電圧の位相変化を用いて応答信号を復調することもできる。
【００２３】
このような構成により、カード型端末１０は、外部装置であるリーダライタ８０との間で非接触近距離無線通信のネットワークｎ１を確立し、当該ネットワークｎ１を介してリーダライタ８０との間で情報の送受信を行うことが可能となる。
【００２４】
リーダライタ８０は、カード型端末１０と同様に、非接触近距離無線通信技術を用いた通信デバイスを備え、当該非接触近距離無線通信の通信経路を介して、カード型端末１０と通信可能に構成されている。
【００２５】
カード型端末１０とリーダライタ８０との間で送受信される情報の一例としては、クーポンや電子マネー等の所謂電子バリューや、各種認証情報等が挙げられる。
【００２６】
また、カード型端末１０は、スマートフォンやＰＣ等のような情報処理端末９０との間で、無線のネットワークｎ２を介して通信可能に構成されている。無線のネットワークｎ
２の具体的な一例としては、Bluetooth（登録商標）規格のようなIEEE802.15規格に基づく通信や、Ｗｉ−Ｆｉ（登録商標）のようなIEEE802.11規格に基づく通信が挙げられる。に基づくネットワークが挙げられる。
【００２７】
このような構成により、カード型端末１０は、例えば、ネットワークｎ２を介した情報処理端末９０との通信により、当該情報処理端末９０に記憶された各種情報（例えば、電子バリュー）を取得することが可能となる。なお、カード型端末１０は、取得した各種情報を、例えば、自身に設けられたメモリやストレージ等の記憶部に記憶または保持してもよい。もちろん、カード型端末１０は、ネットワークｎ２を介して情報処理端末９０から取得した情報を、ネットワークｎ１を介してリーダライタ８０に送信してもよい。
【００２８】
また、カード型端末１０は、自身に設けられた記憶部に記憶された情報を、ネットワークｎ２を介して情報処理端末９０に出力してもよい。具体的な一例として、カード型端末１０は、リーダライタ８０との間のネットワークｎ１を介した通信に伴う電子バリューの利用履歴を記憶部に記憶し、当該利用履歴を、ネットワークｎ２を介して情報処理端末９０に出力してもよい。
【００２９】
以上のような構成により、カード型端末１０は、例えば、リーダライタ８０及び情報処理端末９０のいずれか一方から情報を取得して保持し、当該情報を他方に転送するといった運用が可能となる。なお、カード型端末１０と、リーダライタ８０及び情報処理端末９０それぞれとの間の通信を利用した、運用の一例については、別途実施例として後述する。
【００３０】
なお、カード型端末１０が、各種機能を実現するための回路群は、ＩＣチップとして集積されていてもよい。当該回路群の一例としては、カード型端末１０が、ネットワークｎ１及びｎ２それぞれを介して外部装置と通信を行うための通信デバイスのうち、アンテナ以外の他の構成（回路群）や、操作部１２及び表示部１３の動作を制御するための構成（回路群）等が挙げられる。
【００３１】
このような構成により、本実施形態に係るカード型端末１０は、筐体を所謂非接触型ＩＣカードのようなカード状に構成し、そのサイズについても、非接触型ＩＣカードと略等しいサイズに抑えることが可能となる。具体的な一例として、本実施形態に係るカード型端末１０の筐体を、上面の短辺が約５４．０ｍｍ、長辺が約８５．６ｍｍとなるようにサイズを制限することが可能であり、厚さについても約０．７６ｍｍ〜１．６ｍｍ（即ち、非接触型ＩＣカード１〜２枚分）に抑えることが可能となる。
【００３２】
また、本実施形態に係るカード型端末１０は、操作部１２及び表示部１３を備え、操作部１２を介したユーザ操作に基づき、当該カード型端末１０内に記憶または保持された情報を、表示部１３を介してユーザに提示可能に構成されている。例えば、図１に示す例では、操作部１２及び表示部１３は、カード型端末１０の上面に設けられている。
【００３３】
このように、カード型端末１０のサイズを制限し、当該カード型端末１０の上面に操作部１２及び表示部１３を設けることで、ユーザは、カード型端末１０を片手で操作することが可能となる。この場合には、例えば、ユーザは、カード型端末１０を片手で把持し、当該手の指（例えば、親指）により、当該カード型端末１０の上面に設けられた操作部１２を操作することとなる。
【００３４】
一方で、カード型端末１０のサイズを、所謂非接触型ＩＣカードと略等しいサイズに制限した場合には、所謂スマートフォン等に比べて筐体のサイズが小さくなり、操作部１２や表示部１３等の入出力インタフェースを設けることが可能な領域が制限される。
【００３５】
また、入出力インタフェースとして利用されるデバイスの中には、ＮＦＣ等の非接触近距離無線通信のアンテナと近接することで、当該アンテナによる通信のため磁界の鎖交を阻害し、結果として、当該非接触近距離無線通信を阻害する要因となり得るものがある。
【００３６】
そのため、カード型端末１０に入出力インタフェースを設ける場合には、非接触近距離無線通信を阻害しないようにアンテナとの間の位置関係を考慮して、制限された領域内に当該入出力インタフェースを設ける必要があり、そのサイズも制限される。
【００３７】
そこで、本開示では、入出力インタフェースのサイズが制限された状況下においても、ユーザが操作しやすく、かつ、当該ユーザに対して好適な態様で情報を提示することが可能なカード型端末１０を提案する。そこで、以降では、本実施形態に係るカード型端末１０について、さらに詳しく説明する。
【００３８】
＜２．概略構成＞
まず、図２を参照して、本実施形態に係るカード型端末１０の概略的な構成の一例について説明する。図２は、本実施形態に係るカード型端末１０の概略的な構成の一例について説明するための説明図であり、カード型端末１０の概略的な斜視図を示している。なお、図２では、カード状に形成されたカード型端末１０の筐体の上面１１の短尺方向をｘ方向、長尺方向をｙ方向、カード型端末１０の厚さ方向をｚ方向としている。
【００３９】
図２において、参照符号Ｌ１は、カード型端末１０の上面１１の短辺の幅（即ち、ｘ方向の幅）を示している。また、参照符号Ｌ２は、カード型端末１０の上面１１の長辺の幅（即ち、ｙ方向の幅）を示している。また、参照符号Ｌ３は、カード型端末１０の厚さ（即ち、ｚ方向の幅）を示している。
【００４０】
前述したように、本実施形態に係るカード型端末１０のサイズは、所謂非接触型ＩＣカードと略等しいサイズに抑えられている。具体的な一例として、カード型端末１０の上面１１の短辺の幅Ｌ１は約５４．０ｍｍ、長辺の幅Ｌ２は約８５．６ｍｍとなる。また、カード型端末１０の厚さＬ３は、約０．７６ｍｍ〜１．６ｍｍとなり、当該厚さは、非接触型ＩＣカード１〜２枚分に相当する。なお、上記に示したカード型端末１０のサイズは、あくまで一例であり、必ずしも上記サイズに限定するものではないことは言うまでもない。
【００４１】
また、図２に示すように、本実施形態に係るカード型端末１０は、操作部１２と、表示部１３と、報知部１５と、第１通信部１７１と、第２通信部１７２とを含む。
【００４２】
第１通信部１７１は、図１に示すように、カード型端末１０が、非接触近距離無線通信のネットワークｎ１を介してリーダライタ８０と通信を行うための通信デバイスに相当し、特に図２では、当該通信デバイスのアンテナを模式的に示している。
【００４３】
同様に、第２通信部１７２は、図１に示すように、カード型端末１０が、無線のネットワークｎ２を介して情報処理端末９０と通信を行うための通信デバイスに相当し、特に図２では、当該通信デバイスのアンテナを模式的に示している。
【００４４】
図２に示すように、第１通信部１７１及び第２通信部１７２は、例えば、一部もしくは全体がカード型端末１０の筐体内に内蔵されている。
【００４５】
表示部１３は、カード型端末１０が画面を表示することで、ユーザに対して情報を提示する出力デバイスにより構成され得る。表示部１３は、例えば、液晶ディスプレイ（ＬＣＤ：Liquid  Crystal  Display）、有機ＥＬ（ＯＬＥＤ：Organic  Light  Emitting  Diode）ディスプレイなどの表示デバイスにより構成されていてもよい。
【００４６】
操作部１２は、操作面に対して接触または近接する操作体（例えば、ユーザの指）を検出するセンサを複数含んで構成され得る。なお、以降では、当該センサを「近接センサ」と記載するが、当該近接センサは、前述したように操作体の接触を検出してもよいものとする。また、操作面とは、操作部１２がユーザの操作を受け付けることが可能な領域を示しており、換言すると、操作部１２に含まれるセンサが操作体の接触または近接を検知可能な領域に相当する。
【００４７】
操作部１２は、近接センサにより、タップやスワイプ等のような、操作体によるカード型端末１０に対するユーザ操作を受け付ける。具体的な一例として、操作部１２は、近接センサにより検出された、操作面に対して接触または近接する操作体の当該操作面上の位置の変化を、スワイプ操作として受け付けてもよい。また、他の一例として、操作部１２は、近接センサにより検出された、操作面上の一部に対する操作体の接触を、タップ操作として受け付けてもよい。
【００４８】
報知部１５は、ＬＥＤ（Light-Emitting  Diodes）等の発光部を含んで構成され得る。報知部１５は、当該発光部の発光状態（もしくは、発光状態の変化）により所定の情報を報知する。具体的な一例として、報知部１５は、点灯又は点滅のパターンにより、所定の情報を報知してもよい。また、他の一例として、報知部１５は、発光される光の強度により、所定の情報を報知してもよい。また、報知部１５は、発光される光の色により、所定の情報を報知してもよい。このように、報知部１５は、発光部の発光状態に応じて、所定の情報を報知できれば、その方法は特に限定されない。
【００４９】
図２に示すように、操作部１２、表示部１３、及び報知部１５は、カード型端末１０の上面１１上に設けられている。具体的には、表示部１３は、情報を表示するための表示面が、上面１１上に位置するように設けられている。また、操作部１２は、操作面（即ち、操作体の接触または近接を検出する領域）が、上面１１上に位置するように設けられている。即ち、操作部１２の操作面は、ユーザが表示部１３の表示面に対して正対した場合に、当該ユーザに対して正対するように設けられていることとなる。
【００５０】
なお、本実施形態に係るカード型端末１０では、表示部１３の表示面と、操作部１２の操作面とは、上面１１上の互いに異なる領域に設けられている。換言すると、本実施形態に係るカード型端末１０は、ユーザに対して情報を提示する領域（即ち、表示面）と、ユーザの操作を受け付ける領域（即ち、操作面）とが、上面１１上の異なる領域に設けられていることとなる。
【００５１】
特に、表示部１３を構成する液晶ディスプレイ（ＬＣＤ）や有機ＥＬ（ＯＬＥＤ）ディスプレイは、第１通信部１７１が、外部装置と非接触近距離無線通信を行うための磁界の鎖交を阻害する要因となり得る部品を使用している場合がある。また、本実施形態に係るカード型端末１０は、スマートフォン等に比べてサイズが小さく形成され、特に厚さも薄いため、磁界の鎖交が阻害される事態を防止するためのシールド材を設けることが困難な場合が少なくない。
【００５２】
これに対して、図２に示すように、表示部１３の表示面と、操作部１２の操作面とを、上面１１上の互いに異なる領域に設けることで、表示部１３と第１通信部１７１とを、互いに離間するように設けることが可能となる。これにより、表示部１３に含まれる部品により、第１通信部１７１による通信のため磁界の鎖交が阻害される事態を防止することが可能となる。換言すると、表示部１３と第１通信部１７１とが互いに離間するように設けられた構成とは、第１通信部１７１による通信のため磁界の鎖交が阻害されない位置関係で、表示部１３と第１通信部１７１とが設けられた構成を示している。
【００５３】
また、表示部１３の表示面と、操作部１２の操作面とを、上面１１上の互いに異なる領域に設けることで、ユーザが操作を行っているときに、操作体により表示面が遮蔽されるといった事態を防止することが可能となる。特に、本実施形態に係るカード型端末１０は、スマートフォンに比べてサイズが小さく制限されている。そのため、例えば、上面１１の全面に表示部１３の表示面を形成し、当該表示面上にタッチパネルとして操作部１２を形成すると、ユーザが操作を行っているときに、表示面の大部分が操作体（例えば、指）により遮蔽されることとなる。
【００５４】
これに対して、表示部１３の表示面と、操作部１２の操作面とを、上面１１上の互いに異なる領域に設けた場合には、ユーザが操作を行っているときにおいても、操作体により表示面が遮蔽されるといった事態を防止することが可能となる。
【００５５】
次に、図３を参照して、操作部１２及び報知部１５の構成の詳細について説明する。図３は、本実施形態に係るカード型端末１０の概略的な構成の一例について説明するための説明図であり、操作部１２及び報知部１５の詳細な構成について示している。なお、図３は、図２に示すカード型端末１０を、上面１１と正対するように、ｚ方向の上方側から見た場合の構成の一例を示している。なお、以降の説明では、図３のｙ方向のうち上方向が、表示部１３に表示される画面の上方向に相当するものとして説明する。即ち、図３は、表示部１３に表示される画面の天地方向が正しくなる向きで、上面１１と正対した場合における、カード型端末１０の構成を示している。
【００５６】
図３に示すように、操作部１２は、操作体の接触または近接を検知する近接センサ１２１が、上面１１上における表示部１３の表示面とは異なる領域に、弧状の軸に沿った方向Ｐ１１に沿うように、当該方向Ｐ１１に向けて配列されて構成される。このように、複数の近接センサ１２１が弧状の軸に沿った方向Ｐ１１に向けて配列されることで、カード型端末１０は、各近接センサ１２１の検出結果に基づき、操作面上における、当該弧状の軸に沿った方向Ｐ１１に向けた操作体の位置の変化（即ち、当該方向Ｐ１１に沿った操作体の位置の変化）を検出する。即ち、カード型端末１０は、複数の近接センサ１２１それぞれの検出結果に基づき、弧状の軸に沿った方向Ｐ１１に向けたスワイプ操作（換言すると、当該方向Ｐ１１に沿ったスワイプ操作）を認識することが可能である。
【００５７】
図３に示す例では、弧状の軸に沿った方向Ｐ１１は、弧の中心Ｐ１０が、上面１１（換言すると、操作部１２の操作面）をｘ方向に沿って左右に分割する軸Ｐ２に対して、右側に位置するように設定され、かつ、弧が当該中心Ｐ１０に対して、左側に位置するように設定されている。
【００５８】
そのため、図３に示すように、ユーザが右手でカード型端末１０を把持した状態において、当該右手の親指の可動方向に沿って弧状の軸に沿った方向Ｐ１１が設定される。このような構成により、カード型端末１０は、ユーザが右手で当該カード型端末１０を把持した状態での当該右手の親指によるスワイプ操作を、弧状の軸に沿った方向Ｐ１１に向けて配列された複数の近接センサ１２１により検知することが可能となる。なお、操作部１２を、軸Ｐ２に対して左右反対の向きとなるように設けることで、ユーザが左手で操作できるようにカード型端末１０を構成してもよいことは言うまでもない。また、各近接センサ１２１を設ける位置は、想定するユーザの手の大きさに応じて適宜調整してもよい。また、中心Ｐ１０は、必ずしも上面１１上に位置していなくてもよい。
【００５９】
また、図３に示す例では、弧状の軸に沿った方向Ｐ１１に向けて配列された複数の近接センサ１２１のうち、参照符号１２３及び１２５で示された近接センサについては、当該近接センサに対するタップ操作を、カード型端末１０が認識可能に構成されている。なお、近接センサ１２３及び１２５に対してタップ操作が行われた場合の制御については、表示部１３への画面の表示制御の一例と共に別途後述する。
【００６０】
報知部１５は、複数の発光部（例えば、ＬＥＤ）が、複数の近接センサ１２１と同様に、弧状の軸に沿った方向Ｐ１１に向けて配列されて構成される。報知部１５を構成する複数の発光部それぞれは、例えば、操作部１２を構成する複数の近接センサ１２１のいずれかに対応付けられており、対応する近接センサ１２１が操作体を検出した場合に、点灯または点滅するように構成されている。このような構成により、カード型端末１０は、例えば、操作部１２により、弧状の軸に沿った方向Ｐ１１に向けたスワイプ操作が検出された場合に、当該スワイプ操作に追随するように、報知部１５の各発光部を点灯または点滅させることが可能となる。これにより、ユーザは、報知部１５を構成する各発光部の点灯または点滅により、操作部１２に対して行った操作が受け付けられたか否かを、直感的に確認することが可能となる。
【００６１】
以上、図２及び図３を参照して、本実施形態に係るカード型端末１０の概略的な構成について説明した。上記に説明したように、本実施形態に係るカード型端末１０は、上面１１上において、表示部１３とは異なる領域に、弧状の軸に沿った方向Ｐ１１に向けて近接センサ１２１が配置されるように、操作部１２が設けられている。このような構成により、カード型端末１０は、操作部１２の操作面に対する、弧状の軸に沿った方向Ｐ１１に向けたスワイプ操作を検知することが可能となる。
【００６２】
また、本実施形態に係るカード型端末１０は、表示部１３の表示面と、操作部１２の操作面とを、上面１１上の互いに異なる領域に設けることで、図２に示すように、表示部１３と第１通信部１７１とを、互いに離間するように設けることが可能となる。なお、図２に示す、第１通信部１７１及び第２通信部１７２の位置はあくまで一例であり、表示部１３と第１通信部１７１とを、互いに離間するように設けることが可能であれば、第１通信部１７１及び第２通信部１７２を設ける位置は特に限定されない。具体的な一例として、第１通信部１７１を構成するアンテナ線を、上面１１の端部に沿って設け、表示部１３の表示面を上面１１の中央寄りに設けることで、表示部１３と第１通信部１７１とを離間させてもよい。
【００６３】
なお、図２及び図３に示すように操作部１２及び表示部１３を設けることが可能であれば、上記にカード型端末１０として説明した情報処理装置は、必ずしもカード型の端末に限定されないことは言うまでもない。即ち、上記にカード型端末１０として説明した情報処理装置は、例えば、ユーザが片手で把持できる程度の大きさに構成され、かつ、上述した操作部１２及び表示部１３を設けることが可能であれば、当該情報処理装置の筐体の形状は特に限定されない。また、当該情報処理装置は、所謂、ウェアラブル端末として構成されていてもよい。
【００６４】
＜３．表示制御＞
次に、本実施形態に係るカード型端末１０が、表示部１３に画面を表示することで、ユーザに対して情報を提示する制御の一例について説明する。まず、図４を参照して、本実施形態に係るカード型端末１０による、表示部１３への画面の表示に係る制御の一例について説明する。図４は、本実施形態に係るカード型端末１０による画面表示に係る制御の一例について説明するための説明図である。
【００６５】
本実施形態に係るカード型端末１０は、ユーザに対して提示する情報を複数の項目に分類し、分類された項目ごとに、当該項目に含まれる情報を表示するための画面を設けている。例えば、図４に示す参照符号ｖ１１、ｖ２１、及びｖ３１は、カード型端末１０の表示部１３に表示される画面の一例を示しており、それぞれが異なる項目に対応する情報を表示するための画面に相当する。なお、各画面に表示された各項目対応する情報が、「表示項目」の一例に相当する。
【００６６】
本実施形態に係るカード型端末１０は、分類された各項目に対応する画面（例えば、画面ｖ１１、ｖ２１、及びｖ３１）のうちいずれかを表示部１３に表示させる。そして、カード型端末１０は、操作部１２に対するスワイプ操作を検出すると、当該スワイプ操作に連動するように、表示部１３に表示された画面を、他の項目に対応する画面に切替える。
【００６７】
具体的には、カード型端末１０は、表示部１３に表示された画面を、スワイプ操作の操作方向に向けてスクロールさせるようにフェードアウトさせる。また、カード型端末１０は、フェードアウトする画面に追随するように、他の項目に対応する画面を同様の操作方向に向けてスクロールさせるようにフェードインさせる。これにより、表示部１３に表示された画面が、スワイプ操作に連動するように切替えられる。
【００６８】
なお、このとき、カード型端末１０は、表示部１３に表示された画面の切替え動作を、検出したスワイプ操作に同期させてもよい。もちろん、カード型端末１０は、スワイプ操作と画面の切替えに係る動作とが連動していれば、必ずしも、当該スワイプ操作と画面の切替えに係る動作とが完全に同期させなくてもよいことは言うまでもない。
【００６９】
また、カード型端末１０は、操作部１２に対するスワイプ操作を検出すると、当該スワイプ操作に追随するように、報知部１５の各発光部を点灯または点滅させる。これにより、ユーザは、報知部１５を構成する各発光部の点灯または点滅により、操作部１２に対して行った操作が受け付けられたか否かを、直感的に確認することが可能となる。
【００７０】
また、カード型端末１０は、近接センサ１２３に対するタップ操作を検出すると、そのとき表示部１３に表示されている項目が選択されたものと認識し、当該項目に関する詳細情報を表示する。このとき、カード型端末１０は、各項目に分類された各種情報が所謂木構造を形成するように当該各種情報を複数の階層に区分し、当該階層ごとに、区分された各種情報のいずれかに対応する画面を表示部１３に表示させる。
【００７１】
例えば、図５は、本実施形態に係るカード型端末１０における画面間の切替えに係る画面構成の一例について説明するための説明図であり、各項目に分類された各種情報を複数の階層に区分して各画面を対応付けた場合の一例を示している。
【００７２】
例えば、図５に示す例では、画面ｖ１１、ｖ２１、ｖ３１、及びｖ４１に示すように、各種情報は、まず、「Money（電子マネー）」、「Point（ポイント）」、「Setting（設定）」、「ID（所有者情報）」の複数の項目に分類されている。参照符号ｇ１１は、画面ｖ１１、ｖ２１、ｖ３１、及びｖ４１が含まれる階層を示している。なお、図５に示す例では、階層ｇ１１は、複数の階層のうち最上層に相当する。即ち、階層ｇ１１に区分された、画面ｖ１１、ｖ２１、ｖ３１、及びｖ４１が示す各項目は、ユーザに対して提示する情報を複数に分類する場合の、より広い概念に基づく分類を示している。
【００７３】
また、参照符号ｖ１２１、ｖ１２２、及びｖ１３は、画面ｖ１１に対応付けられた「Money」を示す項目に分類された各種情報が対応付けられた画面を示している。
【００７４】
具体的には、図５に示す例では、画面ｖ１１に対応付けられた「Money」を示す項目に含まれる各種情報は、例えば、電子マネーの種別ごとに「Money  A」と「Money  B」と複数の項目にさらに分類されている。なお、画面ｖ１２１は、「Money  A」を示す項目に対応付けられた画面であり、画面ｖ１２２は、「Money  B」を示す項目が対応付けられた画面を示している。また、参照符号ｇ１２は、画面ｖ１１に対応付けられた「Money」を示す項目の下位の階層のうち、当該「Money」を示す項目の直下の階層に相当する。即ち、所定の項目の下位の階層は、当該所定の項目をさらに詳細に区分する分類を示している。また、所定の項目の上位の階層は、当該所定の項目をより広い概念に基づき区分する分類を示している。
【００７５】
また、画面ｖ１３は、「Money  A」で示された電子マネーに関連する情報、即ち、「Money  A」に分類された各種情報のうち、「Money  A」の使用履歴を示す「Money  A  log」の項目が対応付けられた画面を示している。
【００７６】
即ち、カード型端末１０は、近接センサ１２３に対するタップ操作を検出すると、表示部１３に表示された画面が示す項目の、直下の階層が選択されたものと認識し、当該階層に含まれる項目のうち、いずれかの項目に対応する画面を表示部１３に表示させる。
【００７７】
具体的な一例として、階層ｇ１１が選択された状態（例えば、初期状態）において、カード型端末１０は、操作部１２に対するスワイプ操作を受け付けると、表示部１３に表示させる画面を、画面ｖ１１、ｖ２１、ｖ３１、及びｖ４１の間で切替える。
【００７８】
また、画面ｖ１１が表示部１３に表示されている状態で、カード型端末１０は、近接センサ１２３に対するタップ操作を検出すると、選択された階層ｇ１１を、当該画面ｖ１１に対応する「Money」が示す項目の直下の階層ｇ１２に切替える。そして、カード型端末１０は、新たに選択された階層ｇ１２に区分された各項目対応する画面ｖ１２１及びｖ１２２のうち、いずれかの項目に対応する画面を表示部１３に表示させる。例えば、図５に示す例では、カード型端末１０は、画面ｖ１１が表示部１３に表示されている状態で、近接センサ１２３に対するタップ操作を検出すると、「Money  A」に対応する画面ｖ１２１を表示部１３に表示させている。
【００７９】
また、階層ｇ１２が選択された状態において、カード型端末１０は、操作部１２に対するスワイプ操作を受け付けると、表示部１３に表示させる画面を、当該階層ｇ１２に含まれる各項目に対応した画面ｖ１２１及びｖ１２２の間で切替える。
【００８０】
同様に、画面ｖ１２１が表示部１３に表示されている状態で、近接センサ１２３に対するタップ操作を検出すると、カード型端末１０は、選択された階層ｇ１２を、当該画面ｖ１２１に対応する項目の直下の階層ｇ１３に切替える。そして、カード型端末１０は、当該階層ｇ１３に区分された各項目に対応する画面のうち、いずれかの画面を表示させる。図５に示す例では、カード型端末１０は、画面ｖ１２１が表示部１３に表示されている状態で、近接センサ１２３に対するタップ操作を検出すると、「Money  A  log」に対応する画面ｖ１３を表示部１３に表示させている。
【００８１】
一方で、カード型端末１０は、近接センサ１２５に対するタップ操作を検出すると、表示部１３に表示された画面が示す項目の、直上の項目が選択されたものと認識し、当該直上の項目に対応する画面を表示部１３に表示させる。また、このとき、カード型端末１０は、選択された階層を、当該直上の項目が区分された階層に切替える。
【００８２】
例えば、画面ｖ１３が表示部１３に表示されている状態で、近接センサ１２５に対するタップ操作を検出すると、カード型端末１０は、画面ｖ１３の直上の項目が選択されたものと認識し、当該直上の項目に対応する画面ｖ１２１を表示部１３に表示させる。また、このとき、カード型端末１０は、選択された階層ｇ１３を、表示部１３に表示された画面ｖ１２１に対応する項目が区分された階層ｇ１２に切替える。
【００８３】
同様に、画面ｖ１２１が表示部１３に表示されている状態で、近接センサ１２５に対するタップ操作を検出すると、カード型端末１０は、画面ｖ１２１の直上の項目が選択されたものと認識し、当該直上の項目に対応する画面ｖ１１を表示部１３に表示させる。また、このとき、カード型端末１０は、選択された階層ｇ１２を、表示部１３に表示された画面ｖ１１に対応する項目が区分された階層ｇ１１に切替える。
【００８４】
以上のように、本実施形態に係るカード型端末１０は、近接センサ１２３または１２５に対するタップ操作が検出された場合に、例えば、参照符号ｇ２１で示すように異なる階層間での項目の切り替え（換言すると、画面の切り替え）を制御する。なお、近接センサ１２３及び１２５のうちいずれか一方を特に設けずに、当該一方のセンサに対するタップ操作を、複数の近接センサ１２１のうちのいずれかに対するタップ操作で代用してもよい。
【００８５】
また、本実施形態に係るカード型端末１０は、選択された階層を切替えた場合に、選択されている階層に応じて画面上への階層情報ｖ５１の表示を制御することで、当該選択されている階層を識別可能にユーザに提示する。
【００８６】
例えば、図５に示す例では、最上層の階層ｇ１１が選択されている場合には、カード型端末１０は、階層情報ｖ５１を画面上に表示させていない。即ち、階層情報ｖ５１が表示されていない場合には、最上層の階層ｇ１１が選択されている状態を示している。
【００８７】
また、最上層の階層ｇ１１以外の階層が選択されている場合には、カード型端末１０は、当該階層ｇ１１からの階層方向の移動距離（換言すると、階層の深さ）に応じた、階層情報ｖ５１を表示部１３に表示された画面上に提示している。
【００８８】
具体的な一例として、最上層の階層ｇ１１の直下の階層ｇ１２が選択された状態では、カード型端末１０は、１個のアイコンで構成された階層情報ｖ５１を提示する。これにより、カード型端末１０は、当該階層ｇ１１から１階層だけ下位に位置する階層（即ち、階層ｇ１２）が選択されていることをユーザに示している。
【００８９】
同様に、最上層の階層ｇ１１から２階層だけ下位に位置する階層ｇ１３が選択された状態では、カード型端末１０は、２個のアイコンで構成された階層情報ｖ５１を提示する。これにより、カード型端末１０は、当該階層ｇ１１から２階層だけ下位に位置する階層（即ち、階層ｇ１３）が選択されていることをユーザに示している。
【００９０】
以上のように、本実施形態に係るカード型端末１０は、ユーザに対して提示する各種情報を複数の項目に分類するとともに、当該項目それぞれに分類された各種情報を、所謂木構造のように、複数の階層に区分し、当該階層ごとにさらに情報を分類する。そして、カード型端末１０は、スワイプ操作及びタップ操作のように、互いに異なる操作を、階層間の切替えに係る処理と、選択された階層に区分された項目の切替えとにそれぞれ関連付けて、当該操作に応じて画面（表示項目）を切替える。
【００９１】
また、本実施形態に係るカード型端末１０は、選択されている階層に応じて画面上への階層情報ｖ５１の表示を制御することで、当該選択されている階層を識別可能にユーザに提示する。
【００９２】
このような構成により、ユーザは、各操作に応じて画面を切替えながら所望の項目を適宜選択することで、各画面に対応する項目間の関係を直感的に認識することが可能となる。そのため、本実施形態に係るカード型端末１０のように、表示部１３のサイズが制限されており、一度に提示できる情報量が制限されている状況下においても、効率的に情報を提示することが可能となる。
【００９３】
なお、カード型端末１０は、最上層の階層ｇ１１が選択されている状態で、近接センサ１２５に対するタップ操作に基づく上位の階層への切替えが指定された場合には、階層の切替えを行えない。このような場合には、カード型端末１０は、画面を振動させる等の画面効果や表示態様の変化により、それ以上の画面遷移が行えない旨をユーザに報知してもよい。このことは、最下層の階層が選択されている状態で、近接センサ１２３に対するタップ操作に基づく下位の階層への切替えが指定された場合についても同様である。
【００９４】
また、スワイプ操作により、表示部１３に表示させる画面を、選択された階層に含まれる各項目に対応した画面間で切替える場合についても同様である。例えば、図５に示す例において、階層ｇ１１が選択されている状態において、操作部１２に対する所定の方向へのスワイプ操作により、表示部１３に表示されている画面が、図５における上方向に向けて、画面ｖ１１、ｖ２１、ｖ４１の順に切り替わったとする。なお、このとき、画面ｖ４１が、図５における上方向に向けた画面の切替えの端部に相当するものとする。
【００９５】
この場合には、表示部１３に画面ｖ４１が表示されている状態で、図５における上方向への画面の切替えが指定されると、カード型端末１０は、画面を振動させる等の画面効果や表示態様の変化により、それ以上の画面遷移が行えない旨をユーザに報知してもよい。
【００９６】
なお、上記はあくまで一例であり、カード型端末１０は、図５における画面ｖ４１と画面ｖ３１との間の画面切替えを有効にすることで、画面ｖ１１、ｖ２１、ｖ３１、及びｖ４１間の切替えをサイクリックに行えるようにしてもよい。
【００９７】
また、下位の階層から上位の階層への切替えについては、一階層ごとの切替えに限らず、複数階層ごとに切替えられるようにしてもよい。具体的な一例について、操作部１２に対して所定の操作（例えば、所定の近接センサに対する長押し相当の操作）が検出された場合に、カード型端末１０は、選択された階層を、最上位の階層に切替えてもよい。なお、この場合には、カード型端末１０は、最上位の階層に区分された項目のうち、切替え前の階層の上位に位置する項目に対応した画面を表示することが望ましい。即ち、カード型端末１０は、選択された階層を切替える場合には、切替え先となる階層の候補を、切替え前の階層から、上位方向及び下位方向のうちいずれか一方向にのみ階層間を移動した場合に到達し得る階層に制限することが望ましい。
【００９８】
以上、図４及び図５を参照して、本実施形態に係るカード型端末１０が、表示部１３に画面を表示することで、ユーザに対して情報を提示する制御の一例について説明した。上記に説明したように、本実施形態に係るカード型端末１０の表示制御は、入出力インタフェース（特に、表示部）のサイズが制限された情報処理装置に適用した場合に、ユーザに対してより好適に情報を提示することができる。一方で、上述した表示制御は、カード型端末１０のようなカード型の端末に限らず適用可能であることは言うまでもない。
【００９９】
＜４．機能構成＞
次に、図６を参照して、本実施形態に係るカード型端末１０の機能構成の一例について説明する。図６は、本実施形態に係るカード型端末１０の機能構成の一例を示したブロック図である。
【０１００】
図６に示すように、本実施形態に係るカード型端末１０は、操作部１２と、表示部１３と、報知部１５と、第１通信部１７１と、第２通信部１７２と、記憶部１８と、電力供給部１９と、制御部１００とを含む。また、制御部１００は、通信制御部１０１と、演算部１０３と、入力解析部１０５と、入出力制御部１０７とを含む。なお、図６に示す操作部１２、表示部１３、及び報知部１５は、図２及び図３を参照して前述した操作部１２、表示部１３、及び報知部１５に相当するため、詳細な説明は省略する。
【０１０１】
第１通信部１７１は、リーダライタ８０との間でネットワークｎ１を確立し、カード型端末１０内の各構成が当該ネットワークｎ１を介してデータを送受信するための構成である。第１通信部１７１は、例えば、ＮＦＣやＲＦＩＤ等の非接触近距離無線通信技術を利用した通信デバイスとして構成され得る。
【０１０２】
なお、以降では、カード型端末１０内の各構成が、ネットワークｎ１を介してリーダライタ８０とデータの送受信を行う場合には、特に記載が無い場合においても、第１通信部１７１を介してデータの送受信を行うものとする。
【０１０３】
また、第２通信部１７２は、情報処理端末９０との間でネットワークｎ２を確立し、カード型端末１０内の各構成が当該ネットワークｎ２を介してデータを送受信するための構成である。第２通信部１７２は、例えば、Bluetooth（登録商標）規格のようなIEEE802.15規格に基づく通信や、Ｗｉ−Ｆｉ（登録商標）のようなIEEE802.11規格に基づく通信等の無線通信を実現するための通信デバイスとして構成され得る。
【０１０４】
なお、以降では、カード型端末１０内の各構成が、ネットワークｎ２を介して情報処理端末９０とデータの送受信を行う場合には、特に記載が無い場合においても、第２通信部１７２を介してデータの送受信を行うものとする。
【０１０５】
記憶部１８は、カード型端末１０が、ネットワークｎ１またはｎ２を介して外部装置から取得した情報を記憶するための記憶部である。記憶部１８に記憶される情報の一例としては、クーポンや電子マネー等の所謂電子バリューや、各種認証情報等が挙げられる。
【０１０６】
電力供給部１９は、カード型端末１０内の各構成（例えば、操作部１２、表示部１３、報知部１５、第１通信部１７１、第２通信部１７２、及び制御部１００）が動作するために、当該各構成に対して電力を供給する。電力供給部１９は、例えば、バッテリー等のような電力を供給するための給電デバイスにより構成され得る。なお、電力供給部１９は、非接触給電用のアンテナを設けることで、当該アンテナを介した非接触給電により電力を充電できるように構成されていてもよい。
【０１０７】
通信制御部１０１は、ネットワークｎ１及びｎ２それぞれを介した外部装置との間の通信を制御する。
【０１０８】
例えば、通信制御部１０１は、ネットワークｎ１を介してリーダライタ８０と通信が可能な状態を検出した場合には、当該リーダライタ８０との間で所定の通信シーケンスを実行することで、ネットワークｎ１を確立する。同様に、通信制御部１０１は、ネットワークｎ２を介して情報処理端末９０と通信が可能な状態を検出した場合には、当該情報処理端末９０との間で所定の通信シーケンスを実行することで、ネットワークｎ２を確立する。なお、通信制御部１０１が、ネットワークｎ１及びｎ２それぞれを介して外部装置と通信可能な状態を検出できれば、その方法は特に限定されないことは言うまでもない。具体的な一例として、通信制御部１０１は、ネットワークｎ１及びｎ２それぞれを介して所定のタイミングごとに外部装置に対してポーリングを行うことで、各ネットワークを介して外部装置と通信が可能な状態か否かを認識してもよい。
【０１０９】
また、通信制御部１０１は、操作部１２を介したユーザからの指示に応じて、第１通信部１７１の動作を一時的に停止することで、ネットワークｎ１を介したリーダライタ８０との間の通信を一時的に無効化してもよい。同様に、通信制御部１０１は、操作部１２を介したユーザからの指示に応じて、第２通信部１７２の動作を一時的に停止することで、ネットワークｎ２を介した情報処理端末９０との間の通信を一時的に無効化してもよい。なお、通信制御部１０１は、無効化した各通信を、操作部１２を介したユーザからの指示に応じて再度有効化してもよいことは言うまでもない。
【０１１０】
ネットワークｎ１及びｎ２それぞれを介した通信の有効化及び無効化を指示するための操作画面については、例えば、図５に示す各項目のうち、画面ｖ２１に対応付けられた「Setting（設定）」が示す項目の下位の階層に設ければよい。
【０１１１】
また、通信制御部１０１は、ユーザからの指示に限らず、カード型端末１０の状態に応じて、ネットワークｎ１及びｎ２それぞれを介した外部装置との間の通信を無効化または有効化してもよい。具体的な一例として、通信制御部１０１は、ネットワークｎ１及びｎ２のうち、いずれか一方を介した通信が行われている場合には、他方を介した通信を一時的に無効化してもよい。また、他の一例として、通信制御部１０１は、電力供給部１９から給電される電力が所定値よりも低下した場合（例えば、電力の残量が所定値よりも少なくなった場合）には、ネットワークｎ１及びｎ２のうちいずれかもしくは双方を介した通信を一時的に無効化してもよい。
【０１１２】
入力解析部１０５は、操作部１２から操作体の検出結果を逐次取得し、取得した当該検出結果に応じて、操作部１２に対するユーザの操作内容を認識する。具体的な一例として、入力解析部１０５は、図３に示す複数の近接センサ１２１それぞれの検出結果に応じて、弧状の軸に沿った方向Ｐ１１に向けたスワイプ操作が行われたことを認識するとともに、当該スワイプ操作のスワイプ方向を認識する。
【０１１３】
また、他の一例として、入力解析部１０５は、近接センサ１２３の検出結果に応じて、当該近接センサ１２３に対してタップ操作が行われたことを認識する。同様に、入力解析部１０５は、近接センサ１２５の検出結果に応じて、当該近接センサ１２５に対してタップ操作が行われたことを認識する。
【０１１４】
以上のようにして、入力解析部１０５は、操作部１２に対する操作内容を認識し、認識した操作内容を、入出力制御部１０７に通知する。
【０１１５】
入出力制御部１０７は、図５に示すように、複数の階層に区分された各項目のうち、現在選択されている項目に対応する画面を、表示部１３に表示させる。
【０１１６】
また、入出力制御部１０７は、現在選択されている項目と、当該項目が属する階層（即ち、現在選択されている階層）とを、入力解析部１０５から通知される操作内容に応じて切替える。
【０１１７】
具体的な一例として、入出力制御部１０７は、入力解析部１０５から操作内容としてスワイプ操作が通知された場合には、選択されている階層中の他の項目への切替えに係る操作（即ち、表示項目の切替えに係る操作）が行われたものと認識する。
【０１１８】
この場合には、入出力制御部１０７は、当該スワイプ操作の方向に応じて、現在選択されている項目を、現在選択されている階層中の他の項目に切替える。このとき、入出力制御部１０７は、表示部１３に表示された画面を、スワイプ操作に連動してスクロールするようにフェードアウトさせ、切替え後の他の項目に対応する画面を、当該スワイプ操作に連動してスクロールするように、表示部１３にフェードインさせる。これにより、表示部１３には、切替え後の他の項目に対応する画面が表示されることとなる。
【０１１９】
また、他の一例として、入出力制御部１０７は、入力解析部１０５から操作内容として近接センサ１２３へのタップ操作が通知された場合には、下位の階層への階層移動に係る操作が行われたものと認識する。
【０１２０】
この場合には、入出力制御部１０７は、現在選択されている階層を、現在選択されている項目の直下の階層に切り替え、現在選択されている項目を、当該切り替え後の階層に区分された他の項目に切り替える。そして、入出力制御部１０７は、切り替え後の他の項目に対応する画面を表示部１３に表示させる。これにより、表示部１３には、切り替え前の項目の下位の階層に区分された他の項目、即ち、切り替え前の項目をさらに分類した各項目のうちいずれかの項目に対応する画面が表示されることとなる。
【０１２１】
また、入出力制御部１０７は、入力解析部１０５から操作内容として近接センサ１２５へのタップ操作が通知された場合には、上位の階層への階層移動に係る操作が行われたものと認識する。
【０１２２】
この場合には、入出力制御部１０７は、現在選択されている階層を、現在選択されている項目の直上の階層に切り替え、現在選択されている項目を、当該項目の直上の他の項目に切り替える。そして、入出力制御部１０７は、切り替え後の他の項目に対応する画面を表示部１３に表示させる。これにより、表示部１３には、切り替え前の項目の上位の階層に区分された他の項目に対応する画面が表示されることとなる。
【０１２３】
また、入出力制御部１０７は、選択された階層の切り替えに応じて、切り替え後の階層に対応する階層情報ｖ５１を、切り替え後の画面上に表示させる。このように階層情報ｖ５１が画面上に表示されることで、ユーザは、現在選択されている階層を直感的に認識することが可能となる。
【０１２４】
また、入出力制御部１０７は、所定の項目に対応する画面と、所定の操作とを、所定の機能に対応付けることで、当該画面が表示部１３に表示されている状態で、当該操作が認識された場合に、当該所定の機能が実行されるように制御してもよい。
【０１２５】
具体的な一例として、入出力制御部１０７は、ネットワークｎ１の設定の制御に係る項目と、近接センサ１２３に対するタップ操作とを、ネットワークｎ１の無効化及び有効化の切り替えに係る機能に対応付けてもよい。即ち、ネットワークｎ１の設定の制御に係る項目に対応する画面が表示部１３に表示されている状態で、近接センサ１２３に対するタップ操作を受け付けた場合に、入出力制御部１０７は、通信制御部１０１に、ネットワークｎ１の有効化及び無効化を制御させてもよい。
【０１２６】
もちろん、入出力制御部１０７は、表示項目の切り替えに係る操作や、階層移動に係る操作以外の他の操作を、所定の機能に対応付けることで、当該操作が認識された場合に、当該所定の機能が実行されるように制御してもよいことは言うまでもない。
【０１２７】
また、入出力制御部１０７は、カード型端末１０の状態に応じて、操作部１２の動作の一部また全部を一時的に制限してもよい。具体的な一例として、入出力制御部１０７は、ネットワークｎ１を介したリーダライタ８０との間の通信が確立されている場合には、操作部１２の動作を一時的に制限してもよい。このような構成により、例えば、操作部１２を構成するデバイスとして、磁界の影響を受けやすいデバイスを使用している場合においても、非接触近距離無線通信による磁界の発生に伴う操作部１２の誤動作を防止することが可能となる。
【０１２８】
演算部１０３は、ネットワークｎ１及びｎ２を介した外部装置との間の通信に基づき、記憶部１８に記憶された各種情報の出力や更新を制御する。具体的な一例として、演算部１０３は、ネットワークｎ２を介して情報処理端末９０から電子バリューを取得し、取得した電子バリューを記憶部１８に記憶させる。
【０１２９】
また、他の一例として、演算部１０３は、ネットワークｎ１を介したリーダライタ８０からの要求に応じて、記憶部１８に記憶された電子バリューを読み出し、読み出した当該電子バリューをリーダライタ８０に送信する。このとき、演算部１０３は、送信した電子バリューによる決済の結果を決済情報としてリーダライタ８０から取得し、取得した決済情報を記憶部１８に記憶させてもよい。なお、演算部１０３は、記憶部１８に記憶された決済情報を、ネットワークｎ２を介して情報処理端末９０に出力してもよい。
【０１３０】
以上、図６を参照して、本実施形態に係るカード型端末１０の機能構成の一例について説明した。
【０１３１】
＜５．処理＞
次に、図７を参照して、本実施形態に係るカード型端末１０の一連の動作の一例について、特に、カード型端末１０による画面の切り替えに係る制御に着目して説明する。図７は、本実施形態に係るカード型端末１０の一連の動作の一例について示したフローチャートである。
【０１３２】
（ステップＳ１０１）
操作部１２を構成する各近接センサ１２１、１２３、及び１２５それぞれは、操作体の接触または近接を検出すると、当該検出結果を入力解析部１０５に通知する。
【０１３３】
（ステップＳ１０３）
入力解析部１０５は、操作部１２から操作体の検出結果を逐次取得し、取得した当該検出結果に応じて、操作部１２に対するユーザの操作内容を認識する。具体的な一例として、入力解析部１０５は、図３に示す複数の近接センサ１２１それぞれの検出結果に応じて、弧状の軸に沿った方向Ｐ１１に向けたスワイプ操作が行われたことを認識するとともに、当該スワイプ操作のスワイプ方向を認識する。
【０１３４】
また、他の一例として、入力解析部１０５は、近接センサ１２３の検出結果に応じて、当該近接センサ１２３に対してタップ操作が行われたことを認識する。同様に、入力解析部１０５は、近接センサ１２５の検出結果に応じて、当該近接センサ１２５に対してタップ操作が行われたことを認識する。
【０１３５】
以上のようにして、入力解析部１０５は、操作部１２に対する操作内容を認識し、認識した操作内容を、入出力制御部１０７に通知する。
【０１３６】
入出力制御部１０７は、図５に示すように、複数の階層に区分された各項目のうち、現在選択されている項目に対応する画面を、表示部１３に表示させる。
【０１３７】
また、入出力制御部１０７は、現在選択されている項目と、当該項目が属する階層（即ち、現在選択されている階層）とを、入力解析部１０５から通知される操作内容に応じて切替え、切り替え後の項目に対応する画面を表示部１３に表示させる。
【０１３８】
（ステップＳ１０７）
具体的な一例として、入出力制御部１０７は、入力解析部１０５から操作内容としてスワイプ操作が通知された場合には、選択されている階層中の他の項目への切替えに係る操作（即ち、表示項目の切替えに係る操作）が行われたものと認識する（ステップＳ１０５、ＹＥＳ）。
【０１３９】
この場合には、入出力制御部１０７は、当該スワイプ操作の方向に応じて、現在選択されている項目を、現在選択されている階層中の他の項目に切替える。このとき、入出力制御部１０７は、表示部１３に表示された画面を、スワイプ操作に連動してスクロールするようにフェードアウトさせ、切替え後の他の項目に対応する画面を、当該スワイプ操作に連動してスクロールするように、表示部１３にフェードインさせる。これにより、表示部１３には、切替え後の他の項目に対応する画面が表示されることとなる。
【０１４０】
（ステップＳ１１１）
また、他の一例として、入出力制御部１０７は、入力解析部１０５から操作内容として近接センサ１２３へのタップ操作が通知された場合には（ステップＳ１０５、ＮＯ）、下位の階層への階層移動に係る操作が行われたものと認識する（ステップＳ１０９、ＹＥＳ）。
【０１４１】
この場合には、入出力制御部１０７は、現在選択されている階層を、現在選択されている項目の直下の階層に切り替え、現在選択されている項目を、当該切り替え後の階層に区分された他の項目に切り替える。そして、入出力制御部１０７は、切り替え後の他の項目に対応する画面を表示部１３に表示させる。これにより、表示部１３には、切り替え前の項目の下位の階層に区分された他の項目、即ち、切り替え前の項目をさらに分類した各項目のうちいずれかの項目に対応する画面が表示されることとなる。
【０１４２】
同様に、入出力制御部１０７は、入力解析部１０５から操作内容として近接センサ１２５へのタップ操作が通知された場合には（ステップＳ１０５、ＮＯ）、上位の階層への階層移動に係る操作が行われたものと認識する（ステップＳ１０９、ＹＥＳ）。
【０１４３】
この場合には、入出力制御部１０７は、現在選択されている階層を、現在選択されている項目の直上の階層に切り替え、現在選択されている項目を、当該項目の直上の他の項目に切り替える。そして、入出力制御部１０７は、切り替え後の他の項目に対応する画面を表示部１３に表示させる。これにより、表示部１３には、切り替え前の項目の上位の階層に区分された他の項目に対応する画面が表示されることとなる。
【０１４４】
（ステップＳ１１３）
また、入出力制御部１０７は、所定の項目に対応する画面と、所定の操作とを、所定の機能に対応付けることで、当該画面が表示部１３に表示されている状態で、当該操作が認識された場合に、当該所定の機能が実行されるように制御してもよい。
【０１４５】
具体的な一例として、入出力制御部１０７は、ネットワークｎ１の設定の制御に係る項目と、近接センサ１２３に対するタップ操作とを、ネットワークｎ１の無効化及び有効化の切り替えに係る機能に対応付けてもよい。即ち、ネットワークｎ１の設定の制御に係る項目に対応する画面が表示部１３に表示されている状態で、近接センサ１２３に対するタップ操作を受けた場合に、入出力制御部１０７は、通信制御部１０１に、ネットワークｎ１の有効化及び無効化を制御させてもよい。
【０１４６】
もちろん、入出力制御部１０７は、表示項目の切り替えに係る操作や、階層移動に係る操作以外の他の操作を、所定の機能に対応付けることで、当該操作が認識された場合に、当該所定の機能が実行されるように制御してもよいことは言うまでもない。なお、これらの操作を受け付けた場合には（ステップＳ１０９、ＮＯ）、カード型端末１０は、入出力制御部１０７により当該操作にあらかじめ対応付けられた機能を実行すればよい。
【０１４７】
（ステップＳ１１５）
以上のようにして、カード型端末１０は、一連の処理の終了（例えば、カード型端末１０の停止等）が指示されるまで（ステップＳ１１５、ＮＯ）、操作部１２に対する操作を認識し、認識した操作に応じて表示部１３への画面の表示を制御する。そして、一連の処理の終了が指示された場合には（ステップＳ１１５、ＹＥＳ）、カード型端末１０は、操作部１２を介した操作の受け付けと、当該操作の内容に応じた表示部１３への画面の表示制御とを終了する。
【０１４８】
以上、図７を参照して、本実施形態に係るカード型端末１０の一連の動作の一例について、特に、カード型端末１０による画面の切り替えに係る制御に着目して説明した。
【０１４９】
＜６．実施例＞
［６．１．実施例１：カード型端末の使用形態の一例］
次に、本実施形態に係るカード型端末１０の使用形態の一例について、実施例として、本実施形態に係る情報処理システムの動作に着目して説明する。
【０１５０】
＜＜６．１．１．実施例１−１：外部装置からの情報の取得及び当該情報の利用＞＞
まず、実施例１−１として、カード型端末１０が、情報処理端末９０等の外部装置から情報を取得し、取得した情報をリーダライタ８０との間の通信時に使用する場合の一例について、図８を参照して説明する。図８は、実施例１−１に係る情報処理システムの動作の概要について説明するための説明図である。図８は、カード型端末１０が、情報処理端末９０等の外部装置からクーポンを取得し、取得したクーポンを、リーダライタ８０との間の通信時に使用する場合の一例について示している。
【０１５１】
図８に示すように、カード型端末１０は、例えば、Bluetooth（登録商標）やＷｉ−Ｆｉ（登録商標）等の通信規格に基づくネットワークｎ２を介して、情報処理端末９０等の外部装置からクーポンｄ１１を取得し、自身の記憶部に記憶させる。なお、カード型端末１０は、記憶部に記憶されたクーポンｄ１１に関する情報を、表示部１３を介してユーザに提示してもよい。
【０１５２】
また、例えば、「Bluetooth  Low  Energy」等の通信規格に基づくネットワークｎ２を利用することで、カード型端末１０は、所定の配信ポイントからブロードキャストされるクーポンｄ１１を取得できるようにしてもよい。この場合には、カード型端末１０は、配信ポイントの通信エリア内に進入することで検出された当該配信ポイントとの間で、所定の通信シーケンスを実行することでネットワークｎ２を確立し、当該ネットワークｎ２を介してクーポンｄ１１を取得すればよい。
【０１５３】
また、カード型端末１０は、操作部１２を介したユーザからの指示に基づき、ネットワークｎ１を介したリーダライタ８０との間の通信の際に、記憶部に記憶されたクーポンｄ１１を当該リーダライタ８０に送信してもよい。
【０１５４】
このような構成により、ユーザは、例えば、情報処理端末９０や配信ポイント等の外部装置から送信されたクーポンｄ１１をカード型端末１０内に取り込み、当該カード型端末１０を使用した決済時に、当該クーポンｄ１１を利用することが可能となる。
【０１５５】
なお、カード型端末１０は、クーポンｄ１１の利用に伴う特典ｄ１３を、電子データとしてリーダライタ８０から取得できる構成としてもよい。なお、「特典」とは、主に商取引上の販促手法として消費者等に与えられるインセンティブの総称である。
【０１５６】
具体的な一例として、カード型端末１０は、特典ｄ１３として、他のクーポンをリーダライタ８０から取得してもよい。
【０１５７】
また、他の一例として、カード型端末１０は、特典ｄ１３として、ポイントサービスを受けるためのポイントをリーダライタ８０から取得してもよい。なお、「ポイントサービス」とは、使用金額や利用状況等に応じてポイントが加算され、一定のポイント数と引き換えに、景品や割引などの便益を受けられるサービスを含む。
【０１５８】
なお、カード型端末１０は、取得した特典ｄ１３を、自身の記憶部に記憶させてもよい。このような構成により、例えば、カード型端末１０は、記憶部に記憶された特典ｄ１３を、ネットワークｎ２を介して情報処理端末９０等の外部装置に出力してもよい。また、他の一例として、カード型端末１０は、記憶部に記憶された特典ｄ１３を、ネットワークｎ１を介した他のリーダライタ８０との間の通信（例えば、決済）に利用してもよい。
【０１５９】
以上、実施例１−１として説明したように、カード型端末１０は、ネットワークｎ２を介して外部装置から情報（例えば、クーポンｄ１１）を取得し、取得した情報を、ネットワークｎ１を介したリーダライタ８０との間の通信（例えば、決済）に利用できるように構成されていてもよい。なお、このとき、カード型端末１０は、表示部１３を介して、取得した情報をユーザに提示してもよい。また、カード型端末１０は、操作部１２を介したユーザからの指定に応じて、取得した情報の使用の有無を切り替えたり、取得された複数の情報の中から使用する情報を選択できるように構成されていてもよい。
【０１６０】
＜＜６．１．２．実施例１−２：外部装置への情報の出力＞＞
次に、実施例１−２として、カード型端末１０が、リーダライタ８０との間の通信に基づき取得した情報を、情報処理端末９０等の外部装置に出力する場合の一例について、図９を参照して説明する。図９は、実施例１−２に係る情報処理システムの動作の概要について説明するための説明図である。図９は、カード型端末１０が、リーダライタ８０との間の通信に基づく決済の情報を、情報処理端末９０等の外部装置に出力する場合の一例について示している。
【０１６１】
図９に示すように、カード型端末１０は、ネットワークｎ２を介したリーダライタ８０との通信に基づき行われた決済の情報を履歴として記録する。なお、記録された決済の情報を、以降では、「決済情報ｄ２１」と記載する場合がある。
【０１６２】
また、カード型端末１０は、情報処理端末９０との間のネットワークｎ２が確立された場合に、当該ネットワークｎ２を介して、自身の記憶部に記憶された決済情報ｄ２１を、当該情報処理端末９０に送信してもよい。
【０１６３】
このような構成により、ユーザは、例えば、カード型端末１０を利用した決済の内容を、より多機能なアプリケーションを動作させることが可能な情報処理端末９０側で管理することが可能となる。
【０１６４】
また、スマートフォン等の情報処理端末９０側で決済情報ｄ２１を管理することで、例えば、当該情報処理端末９０が、当該決済情報ｄ２１に対して、インターネットを介して取得した情報を関連付けることも可能となる。もちろん、情報処理端末９０は、インターネットを介して取得した情報が関連付けられた決済情報ｄ２１を、再度、ネットワークｎ２を介してカード型端末１０に送信してもよい。
【０１６５】
また、カード型端末１０と情報処理端末９０との間のネットワークｎ２が確立されている場合には、カード型端末１０は、リーダライタ８０との通信をトリガとして、当該通信に基づく決済情報ｄ２１を、情報処理端末９０にプッシュ送信してもよい。
【０１６６】
これにより、例えば、スキミング等によりユーザが意図せぬタイミングで不正に決済が行われた場合においても、ユーザは、カード型端末１０から情報処理端末９０に通知される情報に基づき、当該不正な決済が行われたことを即座に認識することが可能となる。
【０１６７】
以上、実施例１−２として説明したように、カード型端末１０は、ネットワークｎ２を介したリーダライタ８０との間の通信に基づき取得した情報を、ネットワークｎ１を介して情報処理端末９０等の外部装置に出力できるように構成されていてもよい。なお、このとき、カード型端末１０は、表示部１３を介して、取得した情報をユーザに提示してもよいことは言うまでもない。
【０１６８】
［６．２．実施例２：階層情報の提示方法の一例］
次に、実施例２として、階層情報の提示方法の一例について説明する。図５を参照しながら前述した通り、本実施形態に係るカード型端末１０は、選択されている階層に応じて、画面上への階層情報の表示を制御することで、当該選択されている階層を識別可能にユーザに提示する。例えば、図５に示す例では、カード型端末１０は、階層情報として表示されるアイコンの数により、現在選択されている階層の位置（換言すると、階層の深さ）を提示している。
【０１６９】
一方で、選択されている階層を識別可能であれば、階層情報の提示方法は、必ずしも、図５に示すようなアイコンを利用した提示方法には限定されない。そこで、以下に、実施例２として、図５に示す例とは異なる、階層情報の提示方法の一例について説明する。
【０１７０】
例えば、図１０は、階層情報の提示方法の一例について説明するための説明図である。図１０に示す例では、カード型端末１０は、最上層の階層ｇ１１から選択されている階層までの階層方向の移動距離（換言すると、階層の深さ）を示す数字を、階層情報ｖ５３として、表示部１３に表示された画面上に提示している。
【０１７１】
例えば、画面ｖ１２１が表示された状態のように、最上層の階層ｇ１１の直下の階層ｇ１２が選択された状態では、カード型端末１０は、当該階層ｇ１１から１階層下に位置することを示す数字の「１」を、階層情報ｖ５３として提示している。また、画面ｖ１３が表示された状態のように、最上層の階層ｇ１１から２階層だけ下位に位置する階層ｇ１３が選択された状態では、カード型端末１０は、当該階層ｇ１１から２階層下に位置することを示す数字の「２」を、階層情報ｖ５３として提示している。
【０１７２】
なお、図１０に示す例では、カード型端末１０は、画面ｖ１１が表示された状態のように、最上層の階層ｇ１１が選択された状態では、階層情報ｖ５３を提示していないが、必ずしも本態様に限定されない。具体的な一例として、最上層の階層ｇ１１が選択された状態では、カード型端末１０は、当該階層ｇ１１に位置することを示す情報として、数字の「０」を、階層情報ｖ５３として提示してもよい。
【０１７３】
また、他の一例として、カード型端末１０は、選択されている階層に加えて、当該階層に区分された各項目を識別できるように、階層情報を提示してもよい。例えば、図１１は、階層情報の提示方法の一例について説明するための説明図であり、選択されている階層に加えて、当該階層に区分された各項目を識別できるように、階層情報を提示する方法の一例を示している。
【０１７４】
図１１に示す例では、カード型端末１０は、階層情報ｖ５５として、２ケタの数字を提示している。階層情報ｖ５５として提示された２ケタの数字のうち、１０の位の数字は、選択されている階層を示している。また、当該２ケタの数字のうち、１の位の数字は、１０の位の数字が示す階層（即ち、選択された階層）に区部された各項目のうち、現在選択されている項目（即ち、表示部１３に画面が表示されている項目）を示している。
【０１７５】
具体的な一例として、画面ｖ１２１及びｖ１２２それぞれに対応する項目は、最上層の階層ｇ１１に区分された画面ｖ１１に対応する項目の、直下の階層ｇ１２にそれぞれ区分されている。そのため、画面ｖ１２１及びｖ１２２に、階層情報ｖ５５として提示された２ケタの数字のうち、１０の位の数字は、階層ｇ１１から１階層下に位置することを示す数字の「１」が提示されている。また、画面ｖ１２１及びｖ１２２に、階層情報ｖ５５として提示された２ケタの数字のうち１の位の数字には、それぞれの画面に対応する項目を識別できるように、互いに異なる数字「１」と「２」とが提示されている。
【０１７６】
このような構成により、カード型端末１０は、選択されている階層に加えて、当該階層に区分された各項目を識別できるように、ユーザに対して階層情報を提示することが可能となる。
【０１７７】
以上、実施例２として、図１０及び図１１を参照して、階層情報の提示方法の一例について説明した。なお、上記に説明した例はあくまで一例であり、選択されている階層を識別可能にユーザに提示することが可能であれば、階層情報の態様や提示方法は、必ずしも上記に示す例には限定されない。具体的な一例として、カード型端末１０は、スピーカなどの音響デバイスや、ＬＥＤのような発光部等のように、表示部１３とは異なる報知デバイスを介して、階層情報を提示してもよい。
【０１７８】
［６．３．実施例３：情報の提示方法の一例］
次に、実施例３として、本実施形態に係るカード型端末１０が、表示部１３に表示させる画面を切り替えることで、各種情報をユーザに提示する方法の一例について、画面間（項目間）の関係とあわせて説明する。
【０１７９】
例えば、図１２は、実施例３に係る情報の提示方法の一例について説明するための説明図であり、カード型端末１０が各種情報をユーザに提示する方法の一例について示している。
【０１８０】
図１２に示す例では、カード型端末１０は、画面ｖ１２１に対応する項目「Money  A」の直下の階層ｇ１３が選択された場合に、まず、「Money  A」の使用履歴を文字情報として提示した画面ｖ１３１を表示部１３に表示させる。この状態で、スワイプ操作を検出した場合には、カード型端末１０は、当該スワイプ操作の方向に応じて、当該画面ｖ１３１を、「Money  A」の使用履歴を異なる態様で提示した他の画面ｖ１３２またはｖ１３３に切り替える。例えば、図１２に示す例では、カード型端末１０は、画面ｖ１３２及びｖ１３３として、「Money  A」の使用履歴をグラフ化して提示している。
【０１８１】
同様に、図１３は、実施例３に係る情報の提示方法の一例について説明するための説明図であり、カード型端末１０が各種情報をユーザに提示する方法の一例について示している。
【０１８２】
図１３に示す例では、カード型端末１０は、画面ｖ４１に対応する項目「ＩＤ」の直下の階層ｇ４２が選択された場合に、まず、当該カード型端末１０の所有者の情報が文字情報として提示された画面ｖ４２１を表示部１３に表示させる。この状態で、スワイプ操作を検出した場合には、カード型端末１０は、当該画面ｖ４２１を、当該所有者の情報が文字情報とは異なる態様で提示された他の画面ｖ４２２またはｖ４２３に切り替える。
【０１８３】
例えば、画面ｖ４２２は、カード型端末１０の所有者の情報として、当該所有者の写真を提示している。また、画面ｖ４２３は、カード型端末１０の所有者の情報を、２次元バーコードのようにコード化された情報として提示している。
【０１８４】
以上、図１２及び図１３を参照して説明したように、カード型端末１０は、異なる態様で提示された情報を、それぞれ異なる画面に割り当て、操作部１２に対するスワイプ操作を受けて、当該各画面を切り替えてもよい。このような構成により、本実施形態に係るカード型端末１０のように、表示部１３のサイズが制限されおり、一度に提示できる情報量が制限されている状況下においても、多様な態様で各種情報をユーザに提示することが可能となる。
【０１８５】
また、前述したように、本実施形態に係るカード型端末１０は、各種機能を実現するための回路群がＩＣチップとして集積されていてもよい。そのため、カード型端末１０は、表示部１３に情報を提示する際に、所定の演算処理を実行することで、当該情報を動的に切り替えてもよい。
【０１８６】
例えば、図１４は、実施例３に係る情報の提示方法の一例について説明するための説明図であり、カード型端末１０が所定の演算処理に基づき提示する情報を動的に切り替える場合の一例を示している。図１４に示す例は、カード型端末１０が、画面ｖ７１に対応する項目「Coupon」の直下の階層ｇ７２に区分された「Coupon  A」〜「Coupon  C」の各項目に対応する画面ｖ７２１〜ｖ７２３を、操作部１２に対するスワイプ操作に応じて切り替える場合の一例を示している。
【０１８７】
また、図１４に示す例では、カード型端末１０は、時間を計測する計時部備え、当該計時部が通知する時間情報に応じて、画面ｖ７２１〜ｖ７２３を介してユーザに提示する情報を動的に切り替えている。
【０１８８】
具体的な一例として、カード型端末１０は、画面ｖ７２１上に、「Coupon  A」の有効期限が切れるまでの期間を提示している。この場合には、カード型端末１０は、取得した「Coupon  A」の有効期限を示す情報と、計時部から通知される現在の時間を示す時間情報とを比較することで、当該有効期限までの残りの期間を算出し、算出した期間を画面ｖ７２１上に提示すればよい。
【０１８９】
また、他の一例として、カード型端末１０は、画面ｖ７２２上に、「Coupon  B」が利用可能となるまでの期間を提示している。この場合には、カード型端末１０は、取得した「Coupon  B」の利用期間の開始日を示す情報と、計時部から通知される現在の時間を示す時間情報とを比較することで、当該利用期間の開始日までの残りの期間を算出し、算出した期間を画面ｖ７２２上に提示すればよい。
【０１９０】
また、カード型端末１０は、画面ｖ７２３に示すように、クーポンの利用期間が終了しているか否かを識別し、利用期間が終了している場合にはユーザに報知してもよい。具体的な一例として、カード型端末１０は、取得した「Coupon  C」の利用期間を示す情報と、計時部から通知される現在の時間を示す時間情報とを比較することで、当該利用期間が既に終了しているか否かを認識することができる。そして、カード型端末１０は、「Coupon  C」の利用期間が終了していることを認識した場合には、「Coupon  C」の利用期間が終了している旨を画面ｖ７２３上に提示すればよい。
【０１９１】
また、カード型端末１０は、画面ｖ７２４に示すように、対応するクーポンの利用に応じて取得された特典を提示してもよい。具体的な一例として、カード型端末１０は、取得した「Coupon  D」を利用した決済に基づき取得された特典を示す情報（もしくは、当該特典を得るための情報）を、画面ｖ７２４上に提示している。なお、図１４に示す例では、カード型端末１０は、特典を示す情報を、バーコードのようにコード化された情報として提示している。
【０１９２】
以上、実施例３として、図１２〜図１４を参照して、本実施形態に係るカード型端末１０が、表示部１３に表示される画面を切り替えることで、各種情報をユーザに提示する方法の一例について説明した。
【０１９３】
＜７．変形例＞
次に、変形例として、本実施形態に係る操作部１２の構成の一例について説明する。図３を参照して前述した例では、ユーザが右手でカード型端末１０を把持した状態において、当該右手の親指により操作部１２を操作する場合を想定して、当該操作部１２が設けられていた。これに対して、変形例では、ユーザが、右手及び左手のいずれの手でカード型端末１０を把持した場合においても、当該カード型端末１０を把持する手の親指で操作部１２を操作することが可能な、当該操作部１２の構成の一例について説明する。
【０１９４】
例えば、図１５は、変形例に係る操作部１２の構成の一例について説明するための説明図である。なお、以降では、変形例に係るカード型端末１０を、前述した実施形態に係るカード型端末１０（図３参照）と明示的に区別する場合には、「カード型端末１０ａ」と記載する場合がある。
【０１９５】
図１５に示すように、変形例に係るカード型端末１０ａは、上面１１上の、表示部１３の表示面とは異なる領域に、操作部１２ａ及び１２ｂそれぞれの操作面が設けられている。なお、図１５に示す例では、操作部１２ａ及び１２ｂを簡略化して図示しているが、当該操作部１２ａ及び１２ｂのそれぞれは、図３に示した操作部１２と同様に、複数の近接センサ１２１や、近接センサ１２３及び１２５を含む。
【０１９６】
図１５において、操作部１２ａは、図３に示した操作部１２に相当する。即ち、操作部１２ａは、操作面上における、弧状の軸に沿った方向Ｐ１１に向けた操作体の位置の変化を検出可能に構成されている。また、図１５に示す例では、弧状の軸に沿った方向Ｐ１１は、弧の中心Ｐ１０が、上面１１（換言すると、操作部１２の操作面）をｘ方向に沿って左右に分割する軸Ｐ２に対して、右側に位置するように設定され、かつ、弧が当該中心Ｐ１０に対して、左側に位置するように設定されている。
【０１９７】
そのため、図３に示す例と同様に、ユーザが右手でカード型端末１０ａを把持した状態において、当該右手の親指の可動方向に沿って弧状の軸に沿った方向Ｐ１１が設定される。このような構成により、カード型端末１０ａは、ユーザが右手で当該カード型端末１０ａを把持した状態での当該右手の親指によるスワイプ操作を検知することが可能となる。
【０１９８】
また、操作部１２ｂは、操作部１２ａと同様の構成を有し、当該操作部１２ｂと左右対称となるように設けられている。即ち、操作部１２ｂは、操作面上における、弧状の軸に沿った方向Ｐ１３に向けた操作体の位置の変化を検出可能に構成されている。また、図１５に示す例では、弧状の軸に沿った方向Ｐ１３は、弧の中心Ｐ１２が、上面１１をｘ方向に沿って左右に分割する軸Ｐ２に対して、左側に位置するように設定され、かつ、弧が当該中心Ｐ１２に対して、右側に位置するように設定されている。
【０１９９】
そのため、ユーザが左手でカード型端末１０ａを把持した状態において、当該左手の親指の可動方向に沿って弧状の軸に沿った方向Ｐ１３が設定される。このような構成により、カード型端末１０ａは、ユーザが左手で当該カード型端末１０ａを把持した状態での当該左手の親指によるスワイプ操作を検知することが可能となる。
【０２００】
なお、図１５に示すカード型端末１０ａにおいては、操作部１２ａの操作面と、操作部１２ｂとの操作面とが、Ｘ状に互いに交差するように設けられている。
【０２０１】
このような構成により、ユーザは、右手及び左手のいずれの手でカード型端末１０ａを把持した場合においても、当該カード型端末１０ａを把持する手の親指で操作部１２を操作することが可能となる。
【０２０２】
なお、ユーザは、右手及び左手のいずれの手でカード型端末１０ａを把持した場合においても、当該カード型端末１０ａを把持する手の親指で操作部１２を操作することが可能であれば、操作部１２ａ及び１２ｂとの間の位置関係は、図１５に示す例には限定されない。
【０２０３】
例えば、図１６は、変形例に係る操作部１２の構成の他の一例について説明するための説明図であり、変形例に係るカード型端末１０ａの他の一例を示している。図１６に示すカード型端末１０ａにおいては、操作部１２ａの操作面と、操作部１２ｂとの操作面とは、逆さのＶ字状に設けられている。図１６に示すように、操作部１２ａの操作面と、操作部１２ｂとの操作面とは、必ずしも互いに交差するように設けられていなくてもよい。
【０２０４】
また、操作部１２ａの操作面と、操作部１２ｂとの操作面との相対的な位置関係については、カード型端末１０の筐体に対しして、想定されるユーザの手の相対的な大きさに応じて調整されていればよいことは言うまでもない。
【０２０５】
なお、図１５及び図１６に示すように、操作部１２ａ及び１２ｂを設けられたカード型端末１０ａは、例えば、事前の設定に基づき、いずれか一方のみが有効化されるように構成されていてもよい。具体的には、ユーザにより右手での操作を示す設定がなされた場合には、カード型端末１０ａは、操作部１２ａ及び１２ｂのうち、操作部１２ａのみを有効化してもよい。同様に、ユーザにより左手での操作を示す設定がなされた場合には、カード型端末１０ａは、操作部１２ａ及び１２ｂのうち、操作部１２ｂのみを有効化してもよい。
【０２０６】
もちろん、カード型端末１０ａは、操作部１２ａ及び１２ｂの双方を常に有効化していてもよいことは言うまでもない。この場合には、カード型端末１０ａは、操作部１２ａ及び１２ｂのうちいずれの各近接センサ１２１が、操作体の接触または近接を検出したかに応じて、スワイプ操作の方向を認識すればよい。
【０２０７】
また、他の一例として、カード型端末１０ａは、図１５に示す弧状の軸に沿った方向Ｐ１１に向けたスワイプ操作と、弧状の軸に沿った方向Ｐ１３に向けたスワイプ操作とに対して、互いに異なる機能を割り当ててもよい。
【０２０８】
具体的な一例として、カード型端末１０ａは、弧状の軸に沿った方向Ｐ１１に向けたスワイプ操作を検出した場合には、図４に示したカード型端末１０と同様に、表示部１３に表示させた画面を、他の項目に対応する画面に切り替える。これに対して、弧状の軸に沿った方向Ｐ１３に向けたスワイプ操作を検出した場合には、カード型端末１０ａは、例えば、表示部１３に表示された画面の表示態様を切り替えてもよい。もちろん、本説明で提示した設定例は、あくまで一例であり、当該設定に限定するものではない。
【０２０９】
以上、図１５及び図１６を参照して、変形例に係るカード型端末１０ａの構成の一例について説明した。図１５及び図１６に示すように、操作部１２ａ及び１２ｂが設けられることで、ユーザは、右手及び左手のいずれの手でカード型端末１０ａを把持した場合においても、当該カード型端末１０ａを把持する手の親指で操作部１２を操作することが可能となる。
【０２１０】
＜８．ハードウェア構成＞
次に、図１７を参照して、本開示の実施形態に係るカード型端末１０のハードウェア構成の一例について説明する。図１７は、本開示の実施形態に係るカード型端末１０のハードウェア構成の一例を示した図である。
【０２１１】
図１７に示すように、本実施形態に係るカード型端末１０は、プロセッサ９０１と、メモリ９０３と、ストレージ９０５と、操作デバイス９０７と、表示デバイス９０９と、報知デバイス９１１と、第１通信デバイス９１３と、第２通信デバイス９１５と、バス９１７とを含む。
【０２１２】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、カード型端末１０の様々な処理を実行する。プロセッサ９０１は、例えば、各種演算処理を実行するための電子回路により構成することが可能である。なお、前述した制御部１００の各構成は、プロセッサ９０１により実現され得る。
【０２１３】
メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。例えば、前述した記憶部１８は、メモリ９０３及びストレージ９０５の少なくともいずれか、もしくは、双方の組み合わせにより構成され得る
【０２１４】
操作デバイス９０７は、ユーザが所望の操作を行うための入力信号を生成する機能を有する。操作デバイス９０７は、例えばボタン、スイッチ、タッチパッドなどユーザが情報を入力するための入力部と、ユーザによる入力に基づいて入力信号を生成し、プロセッサ９０１に供給する入力制御回路などから構成されてよい。例えば、前述した操作部１２は、操作デバイス９０７により構成され得る。
【０２１５】
表示デバイス９０９は、出力デバイスの一例であり、例えば、液晶ディスプレイ（ＬＣＤ：Liquid  Crystal  Display）装置、有機ＥＬ（ＯＬＥＤ：Organic  Light  Emitting  Diode）ディスプレイなどのデバイスであってよい。表示デバイス９０９は、例えば、画面を表示することにより、ユーザに対して所定の情報を提示する。なお、前述した表示部１３は、表示デバイス９０９により実現され得る。
【０２１６】
報知デバイス９１１は、例えば、ＬＥＤ（Light  Emitting  Diode）のように、点灯又は点滅のパターンや、発光される光の強度により、所定の情報をユーザに報知するデバイスである。また、報知デバイス９１１は、スピーカ等のように、所定の音響信号を出力することで、所定の情報をユーザに報知するデバイスであってもよい。なお、前述した報知部１５は、報知デバイス９１１により実現され得る。
【０２１７】
第１通信デバイス９１３及び第２通信デバイス９１５は、カード型端末１０が備える通信手段であり、ネットワークを介して外部装置と通信する。
【０２１８】
第１通信デバイス９１３は、ＮＦＣによる通信技術やＲＦＩＤ技術などの無線通信技術を用いた通信デバイスを含んでもよい。第１通信デバイス９１３は、ＮＦＣ等の非接触通信を実現するために、例えば、高周波信号を生成する高周波信号生成部、信号を復調する復調部、及び、外部装置との通信インタフェースとなるアンテナを含んでもよい。なお、前述した第１通信部１７１は、第１通信デバイス９１３により実現され得る。
【０２１９】
第２通信デバイス９１５は、例えば、Bluetooth（登録商標）やＷｉ−Ｆｉ（登録商標）等の通信規格に基づく通信を実現するための、無線用の通信インタフェースである。第２通信デバイス９１５は、通信アンテナ、ＲＦ（Radio  Frequency）回路、ベースバンドプロセッサなどを含んでもよい。
【０２２０】
第２通信デバイス９１５は、外部装置から受信した信号に各種の信号処理を行う機能を有し、受信したアナログ信号から生成したデジタル信号をプロセッサ９０１に供給することが可能である。なお、前述した第２通信部１７２は、第２通信デバイス９１５により実現され得る。
【０２２１】
バス９１７は、プロセッサ９０１、メモリ９０３、ストレージ９０５、操作デバイス９０７、表示デバイス９０９、報知デバイス９１１、第１通信デバイス９１３、及び第２通信デバイス９１５を相互に接続する。バス９１７は、複数の種類のバスを含んでもよい。
【０２２２】
なお、図１７に図示していないが、カード型端末１０は、当該カード型端末１０内の各デバイスに対して電力を供給するための給電デバイスを備えてもよい。当該給電デバイスは、例えば、バッテリー等により構成され得る。なお、前述した電力供給部１９は、当該給電デバイスにより実現され得る。
【０２２３】
また、コンピュータに内蔵されるプロセッサ、メモリ、及びストレージなどのハードウェアを、上記したカード型端末１０が有する構成と同等の機能を発揮させるためのプログラムも作成可能である。また、当該プログラムを記録した、コンピュータに読み取り可能な記憶媒体も提供され得る。
【０２２４】
＜９．まとめ＞
以上、説明したように、本実施形態に係るカード型端末１０は、上面１１上において、表示部１３とは異なる領域に、弧状の軸に沿った方向Ｐ１１に沿うように、当該方向Ｐ１１に向けて近接センサ１２１が配置されるように、操作部１２が設けられている。このような構成により、カード型端末１０は、操作部１２の操作面に対する、弧状の軸に沿った方向Ｐ１１に向けたスワイプ操作を検知することが可能となる。
【０２２５】
また、本実施形態に係るカード型端末１０は、表示部１３の表示面と、操作部１２の操作面とを、上面１１上の互いに異なる領域に設けることで、表示部１３と、非接触近距離無線通信のための第１通信部１７１とを、互いに離間するように設けることが可能となる。
【０２２６】
また、本実施形態に係るカード型端末１０は、ユーザに対して提示する各種情報を複数の項目に分類するとともに、当該項目それぞれに分類された各種情報を、所謂木構造のように、複数の階層に区分し、当該階層ごとにさらに情報を分類する。そして、カード型端末１０は、スワイプ操作及びタップ操作のように、互いに異なる操作を、階層間の切替えに係る処理と、選択された階層に区分された項目の切替えとにそれぞれ関連付けて、当該操作に応じて画面（表示項目）を切替える。
【０２２７】
また、本実施形態に係るカード型端末１０は、選択されている階層に応じて画面上への階層情報ｖ５１の表示を制御することで、当該選択されている階層を識別可能にユーザに提示する。
【０２２８】
このような構成により、ユーザは、各操作に応じて画面を切替えながら所望の項目を適宜選択することで、各画面に対応する項目間の関係を直感的に認識することが可能となる。そのため、本実施形態に係るカード型端末１０のように、表示部１３のサイズが制限されており、一度に提示できる情報量が制限されている状況下においても、効率的に情報を提示することが可能となる。
【０２２９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３０】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２３１】
なお、以下のような構成も本開示の技術的範囲に属する。
（１）
互いに異なる第１の操作と第２の操作とをそれぞれ識別して受け付ける操作部と、
前記操作部とは異なる領域に設けられ、複数の階層に区分された表示項目のうち、選択された前記階層に含まれるいずれかの前記表示項目を表示する表示部と、
前記第１の操作を受けて、前記表示部に表示された第１の表示項目を、当該第１の表示項目とは異なり、かつ選択された前記階層に含まれる第２の表示項目に切り替え、前記第２の操作を受けて、選択された前記階層を、当該階層とは異なる他の階層に切り替える制御部と、
を備え、
前記制御部は、選択された前記階層に応じて、前記表示部への当該階層を示す階層情報の表示を制御する、情報処理装置。
（２）
外部デバイスとの間で非接触通信に基づき、情報の送受信を行う通信部を備えた、前記（１）に記載の情報処理装置。
（３）
前記通信部は、前記表示部と離間して設けられている、前記（２）に記載の情報処理装置。
（４）
前記操作部は、前記表示部とは異なる領域に設けられた操作面に対して接触または近接する操作体の、弧状の軸に沿った方向に向けた当該操作面上における位置の変化を検出し、検出された当該位置の変化を前記第１の操作として受け付ける、前記（１）〜（３）のいずれか一項に記載の情報処理装置。
（５）
前記操作部は、前記操作体の接触または近接を検知するセンサを含む、前記（４）に記載の情報処理装置。
（６）
前記操作部は、前記弧状の軸に沿った方向に沿うように配列された複数の前記センサを含む、前記（５）に記載の情報処理装置。
（７）
検出された前記位置の変化に応じて情報を報知する報知部を備える、前記（４）〜（６）のいずれか一項に記載の情報処理装置。
（８）
前記報知部は、発光部を含み、当該発光部の発光状態により情報を報知する、前記（７）に記載の情報処理装置。
（９）
前記報知部は、前記弧状の軸に沿った方向に向けた前記第１の操作に追随するように、前記発光部を点灯または点滅させる、前記（８）に記載の情報処理装置。
（１０）
前記制御部は、前記弧状の軸に沿った方向に向けた前記第１の操作に連動するように、前記第１の表示項目と前記第２の表示項目とをスクロールさせることで、当該第１の表示項目を当該第２の表示項目に切り替える、前記（４）〜（９）のいずれか一項に記載の情報処理装置。
（１１）
前記制御部は、前記弧状の軸に沿った方向に向けた前記第１の操作の操作方向に、前記第１の表示項目と前記第２の表示項目とをスクロールさせることで、当該第１の表示項目を当該第２の表示項目に切り替える、前記（１０）に記載の情報処理装置。
（１２）
前記弧状の軸に沿った方向は、前記表示部の天地方向が正しくなるようにユーザと前記操作面とが正対した場合に、弧の中心が、当該操作面を左右に分割する軸に対して、左右のいずれか一方の方向に位置し、かつ、前記弧が当該中心に対して前記左右の他方側に位置するように設定される、前記（４）〜（１１）のいずれか一項に記載の情報処理装置。
（１３）
前記操作部は、前記軸に対して左右のいずれか一方に弧の中心が位置するように設定された前記弧状の第１の方向と、他方に弧の中心が位置するように設定された前記弧状の第２の方向とのそれぞれに沿った、前記操作面上における前記操作体の位置の変化を検出する、前記（１２）に記載の情報処理装置。
（１４）
前記制御部は、前記第１の方向に沿った前記位置の変化に対応する前記第１の操作と、前記第２の方向に沿った前記位置の変化に対応する前記第１の操作とに対して、互いに異なる機能を割り当てる、前記（１３）に記載の情報処理装置。
（１５）
前記操作部は、ユーザが前記表示部に対して正対したときに、前記操作面が当該ユーザに対して正対するように設けられている前記（４）〜（１４）のいずれか一項に記載の情報処理装置。
（１６）
前記制御部は、前記階層情報として、選択された前記階層の深さを提示する、前記（１）〜（１５）のいずれか一項に記載の情報処理装置。
（１７）
前記制御部は、前記他の階層の候補を、選択された前記階層から、上位方向及び下位方向のうちいずれか一方向にのみ階層間を移動した場合に到達し得る階層のみに制限する、前記（１）〜（１６）のいずれか一項に記載の情報処理装置。
（１８）
操作部が、互いに異なる第１の操作と第２の操作とをそれぞれ識別して受け付けることと、
前記操作部とは異なる領域に設けられた表示部に、複数の階層に区分された表示項目のうち、選択された前記階層に含まれるいずれかの前記表示項目を表示することと、
プロセッサが、前記第１の操作を受けて、前記表示部に表示された第１の表示項目を、当該第１の表示項目とは異なり、かつ選択された前記階層に含まれる第２の表示項目に切り替えることと、
前記第２の操作を受けて、選択された前記階層を、当該階層とは異なる他の階層に切り替えることと、
選択された前記階層に応じて、前記表示部への当該階層を示す階層情報の表示を制御することと、
を含む、情報処理方法。
（１９）
コンピュータに、
操作部が、互いに異なる第１の操作と第２の操作とをそれぞれ識別して受け付けることと、
前記操作部とは異なる領域に設けられた表示部に、複数の階層に区分された表示項目のうち、選択された前記階層に含まれるいずれかの前記表示項目を表示することと、
前記第１の操作を受けて、前記表示部に表示された第１の表示項目を、当該第１の表示項目とは異なり、かつ選択された前記階層に含まれる第２の表示項目に切り替えることと、
前記第２の操作を受けて、選択された前記階層を、当該階層とは異なる他の階層に切り替えることと、
選択された前記階層に応じて、前記表示部への当該階層を示す階層情報の表示を制御することと、
を実行させるプログラム。
【符号の説明】
【０２３２】
１０、１０ａ  カード型端末
１１    上面
１２、１２ａ、１２ｂ  操作部
１２１  近接センサ
１２３  近接センサ
１２５  近接センサ
１３    表示部
１５    報知部
１７１  第１通信部
１７２  第２通信部
１８    記憶部
１９    電力供給部
１００  制御部
１０１  通信制御部
１０３  演算部
１０５  入力解析部
１０７  入出力制御部
８０    リーダライタ
９０    情報処理端末
【図１】
2016021187.tif 000003
【図２】
2016021187.tif 000004
【図３】
2016021187.tif 000005
【図４】
2016021187.tif 000006
【図５】
2016021187.tif 000007
【図６】
2016021187.tif 000008
【図７】
2016021187.tif 000009
【図８】
2016021187.tif 000010
【図９】
2016021187.tif 000011
【図１０】
2016021187.tif 000012
【図１１】
2016021187.tif 000013
【図１２】
2016021187.tif 000014
【図１３】
2016021187.tif 000015
【図１４】
2016021187.tif 000016
【図１５】
2016021187.tif 000017
【図１６】
2016021187.tif 000018
【図１７】
2016021187.tif 000019